(57)【特許請求の範囲】
【請求項１】
少なくとも１つのセルを制御して無線回線によって移動機と接続する複数の基地局と、これら複数の基地局の少なくとも１台を収容する複数のエッジルータと、これらエッジルータの少なくとも１台を収容して第１のネットワークを介してハンドオーバ制御サーバおよび第２のネットワークと接続する複数のルータとを備える無線通信システムにおいて、
前記基地局は、
自局が制御するセル毎に使用リソースを測定し、測定した使用リソースを前記ハンドオーバ制御サーバに通知する使用リソース測定部、
を備え、
前記ハンドオーバ制御サーバは、
前記複数の基地局に対応付けて当該基地局の使用周波数を含む無線アクセス方式、当該基地局が制御するセル情報、当該基地局を収容するエッジルータ、および当該エッジルータを収容するルータに関するネットワーク構成情報を記憶するネットワーク構成記憶部と、
前記複数の基地局が制御するセル構成に関するセル構成情報を記憶するセル構成記憶部と、
前記基地局から通知された使用リソースを当該基地局に関連付けた使用リソース情報を記憶する使用リソース記憶部と、
前記移動機から通知される無線アクセス能力、前記ネットワーク構成記憶部に記憶されているネットワーク構成情報、前記セル構成記憶部に記憶されているセル構成情報、および前記使用リソース記憶部に記憶されている使用リソース情報に基づいて、前記移動機が現在接続中のセルの周辺セル毎の重み関数を算出し、算出した重み関数と当該重み関数を識別するための重み関数識別子とを組とした重み関数情報を前記移動機に通知する重み関数算出部と、
前記重み関数算出部によって生成された重み関数情報、前記ネットワーク構成記憶部に記憶されているネットワーク構成情報、および前記セル構成記憶部に記憶されているセル構成情報に基づいて、前記周辺セルに対応付けて当該周辺セルの重み関数識別子、当該周辺セルを制御する基地局、当該基地局の無線アクセス方式、当該基地局を収容するエッジルータ、および当該エッジルータを識別するルータに関する情報が登録されたセルリストを生成し、生成したセルリストを前記移動機に通知するセルリスト生成部と、
を備え、
前記移動機は、
前記ハンドオーバ制御サーバから通知されたセルリストを記憶する周辺セルリスト記憶部と、
前記ハンドオーバ制御サーバから通知された重み関数情報を記憶する重み関数記憶部と、
前記周辺セルリスト記憶部に記憶されているセルリストに登録されている各周辺セルおよび現在接続中のセルとの無線回線品質を測定する無線回線品質測定部と、
前記無線回線品質測定部によって測定された無線回線品質、周辺セルリスト記憶部に記憶されているセルリスト、重み関数記憶部に記憶されている重み関数情報、および自装置の無線アクセス能力に基づいて、前記重み関数情報内の重み関数に所定のパラメータを入力して各セルの周辺セル選択パラメータを算出し、算出した周辺セル選択パラメータに基づいてハンドオーバ先の候補となるセルを選択する周辺セル選択パラメータ算出／比較部と、
前記周辺セル選択パラメータ算出／比較部によって選択されたハンドオーバ先の候補となるセルの中から、現在接続中のセルよりも通信品質の良い周辺セル選択パラメータを有するセルの中で、最も通信品質の良い周辺セル選択パラメータを有するセルをハンドオーバ先のセルに決定し、決定したセルに対してハンドオーバ処理を実行する周辺セル選択決定部と、
を備えることを特徴とする無線通信システム。
【請求項２】
前記ハンドオーバ制御サーバは、
予め設定されている予想無線回線品質を用いて前記重み関数算出部が算出した重み関数を用いて周辺セル選択パラメータを算出し、算出した周辺セル選択パラメータの値が、予め定められた周辺セル選択閾値以下である場合には、算出した周辺セル選択パラメータを有するセルを周辺セルから除外することを決定する重み関数検証部、
をさらに備えることを特徴とする請求項１に記載の無線通信システム。
【請求項３】
少なくとも１つのセルを制御して無線回線によって移動機と接続する複数の基地局と、これら複数の基地局の少なくとも１台を収容する複数のエッジルータと、これらエッジルータの少なくとも１台を収容して第１のネットワークを介してハンドオーバ制御サーバおよび第２のネットワークと接続する複数のルータとを備える無線通信システムにおいて、
前記基地局は、
自局が形成するセル毎に使用リソースを測定し、測定した使用リソースを前記ハンドオーバ制御サーバに通知する使用リソース測定部、
を備え、
前記ハンドオーバ制御サーバは、
前記複数の基地局に対応付けて当該基地局の無線アクセス方式、当該基地局が制御するセル情報、当該基地局を収容するエッジルータ、および当該エッジルータを収容するルータに関するネットワーク構成情報を記憶するネットワーク構成記憶部と、
前記複数の基地局が制御するセル構成に関するセル構成情報を記憶するセル構成記憶部と、
前記基地局から通知された使用リソースを当該基地局に関連付けた使用リソース情報を記憶する使用リソース記憶部と、
前記移動機から通知される無線アクセス能力、前記ネットワーク構成記憶部に記憶されているネットワーク構成情報、前記セル構成記憶部に記憶されているセル構成情報、および前記使用リソース記憶部に記憶されている使用リソース情報に基づいて、前記移動機が現在接続中のセルの周辺セル毎の重み関数を算出し、算出した重み関数と当該重み関数を識別するための重み関数識別子とを組とした重み関数情報を記憶する重み関数算出部と、
前記重み関数算出部によって生成された重み関数情報、前記ネットワーク構成記憶部に記憶されているネットワーク構成情報、および前記セル構成記憶部に記憶されているセル構成情報に基づいて、前記周辺セルに対応付けて当該周辺セルの重み関数識別子、当該周辺セルを制御する基地局、当該基地局の無線アクセス方式、当該基地局を収容するエッジルータ、および当該エッジルータを識別するルータに関する情報が登録されたセルリストを生成し、少なくとも生成したセルリスト内の周辺セルと当該周辺セルを制御する基地局に関する情報を前記移動機に対するセルリストとして通知するセルリスト生成部と、
前記移動機から通知された無線回線品質情報および無線アクセス能力と、重み関数算出部が記憶する重み関数情報と、セルリスト生成部によって生成されたセルリストとに基づいて、前記重み関数情報内の重み関数に所定のパラメータを入力して各セルの周辺セル選択パラメータを算出し、算出した周辺セル選択パラメータに基づいてハンドオーバ先の候補となるセルを選択して前記移動機が接続中のセルよりも通信品質の良い周辺セル選択パラメータを有し、かつ最も通信品質の良い周辺セル選択パラメータを有するセルをハンドオーバ先のセルに決定し、決定したセルを含むハンドオーバ先セル通知を前記移動機に通知する重み関数検証部と、
を備え、
前記移動機は、
前記ハンドオーバ制御サーバから通知されたセルリストを記憶する周辺セルリスト記憶部と、
前記周辺セルリスト記憶部に記憶されているセルリストに登録されている各周辺セルおよび現在接続中のセルとの無線回線品質を測定して前記ハンドオーバ制御サーバに通知する無線回線品質測定部と、
を備え、
前記ハンドオーバ制御サーバからのハンドオーバ先セル通知に含まれるセルへのハンドオーバ処理を実行すること、
を特徴とする無線通信システム。
【請求項４】
前記重み関数検証部は、
予め設定されている予想無線回線品質を用いて前記重み関数算出部が算出した重み関数を用いて周辺セル選択パラメータを算出し、算出した周辺セル選択パラメータの値が、予め定められた周辺セル選択閾値以下である場合には、算出した周辺セル選択パラメータを有するセルを周辺セルから除外することを決定すること、
を特徴とする請求項３に記載の無線通信システム。
【請求項５】
前記重み関数算出部は、
前記ネットワーク構成記憶部に記憶されているネットワーク構成情報から、前記基地局、エッジルータ、およびルータのルーチング経路に関する情報を抽出し、抽出したルーチング経路に関する情報を入力パラメータとする項を含む重み関数を算出すること、
を特徴とする請求項１に記載の無線通信システム。
【請求項６】
前記移動機の無線回線品質測定部は、
通信相手との通信時の通信品質情報を測定して前記ハンドオーバ制御サーバに通知し、
前記ハンドオーバ制御サーバの重み関数算出部は、
前記移動機から通知された通信品質情報を入力パラメータとする項を含む重み関数を算出すること、
を特徴とする請求項１に記載の無線通信システム。
【請求項７】
前記通信品質情報は、ピークビットレート、平均ビットレート、および最小ビットレートとすること、
を特徴とする請求項６に記載の無線通信システム。
【請求項８】
前記重み関数算出部は、
前記移動機が移動したセルの移動履歴を記憶しておき、記憶した移動履歴を入力パラメータとする項を含む重み関数を算出すること、
を特徴とする請求項１に記載の無線通信システム。
【請求項９】
前記セル構成記憶部に記憶するセル構成情報に、セル毎のセルサイズに関する情報を登録しておき、
前記重み関数算出部は、
前記セル構成情報に登録されているセルサイズを入力パラメータとする項を含む重み関数を算出すること、
を特徴とする請求項１に記載の無線通信システム。
【請求項１０】
前記セルサイズは、セルの半径および／またはセルを制御する基地局の基地局最大送信電力とすること、
を特徴とする請求項９に記載の無線通信システム。
【請求項１１】
前記重み関数算出部は、
前記ネットワーク構成記憶部に記憶されているネットワーク構成情報の使用周波数を含む無線アクセス方式を取得し、取得した使用周波数および／または無線アクセス方式を入力パラメータとする項を含む重み関数を算出すること、
を特徴とする請求項１に記載の無線通信システム。
【請求項１２】
前記重み関数算出部は、
前記使用リソース記憶部に記憶されている使用リソース情報の使用リソースを取得し、取得した使用リソースから算出される項を含む重み関数を算出すること、
を特徴とする請求項１に記載の無線通信システム。
【請求項１３】
少なくとも１つのセルを制御して無線回線によって移動機と接続するとともにハンドオーバ制御サーバ機能を有するサーバ機能付き基地局を含む複数の基地局と、これら複数の基地局の少なくとも１台を収容する複数のエッジルータと、これらエッジルータの少なくとも１台を収容してネットワークと接続する複数のルータとを備える無線通信システムにおいて、
前記基地局は、
自局が制御するセル毎に使用リソースを測定し、測定した使用リソースをサーバ機能付き基地局に通知する使用リソース測定部、
を備え、
前記サーバ機能付き基地局は、
自局が制御するセル毎に使用リソースを測定する使用リソース測定部と、
前記複数の基地局に対応付けて当該基地局の使用周波数を含む無線アクセス方式、当該基地局が制御するセル情報、当該基地局を収容するエッジルータ、および当該エッジルータを収容するルータに関するネットワーク構成情報を記憶するネットワーク構成記憶部と、
前記複数の基地局が制御するセル構成に関するセル構成情報を記憶するセル構成記憶部と、
自局とは異なる基地局から通知された使用リソース、および自局の使用リソース測定部が測定した使用リソースを当該基地局に関連付けた使用リソース情報を記憶する使用リソース記憶部と、
前記移動機から通知される無線アクセス能力、前記ネットワーク構成記憶部に記憶されているネットワーク構成情報、前記セル構成記憶部に記憶されているセル構成情報、および前記使用リソース記憶部に記憶されている使用リソース情報に基づいて、前記移動機が現在接続中のセルの周辺セル毎の重み関数を算出し、算出した重み関数と当該重み関数を識別するための重み関数識別子とを組とした重み関数情報を前記移動機に通知する重み関数算出部と、
前記重み関数算出部によって生成された重み関数情報、前記ネットワーク構成記憶部に記憶されているネットワーク構成情報、および前記セル構成記憶部に記憶されているセル構成情報に基づいて、前記周辺セルに対応付けて当該周辺セルの重み関数識別子、当該周辺セルを制御する基地局、当該基地局の無線アクセス方式、当該基地局を収容するエッジルータ、および当該エッジルータを識別するルータに関する情報が登録されたセルリストを生成し、生成したセルリストを前記移動機に通知するセルリスト生成部と、
を備え、
前記移動機は、
前記サーバ機能付き基地局から通知されたセルリストを記憶する周辺セルリスト記憶部と、
前記サーバ機能付き基地局から通知された重み関数情報を記憶する重み関数記憶部と、
前記周辺セルリスト記憶部に記憶されているセルリストに登録されている各周辺セルおよび現在接続中のセルとの無線回線品質を測定する無線回線品質測定部と、
前記無線回線品質測定部によって測定された無線回線品質、周辺セルリスト記憶部に記憶されているセルリスト、重み関数記憶部に記憶されている重み関数情報、および自装置の無線アクセス能力に基づいて、前記重み関数情報内の重み関数に所定のパラメータを入力して各セルの周辺セル選択パラメータを算出し、算出した周辺セル選択パラメータに基づいてハンドオーバ先の候補となるセルを選択する周辺セル選択パラメータ算出／比較部と、
前記周辺セル選択パラメータ算出／比較部によって選択されたハンドオーバ先の候補となるセルの中から、現在接続中のセルよりも通信品質の良い周辺セル選択パラメータを有するセルの中で、最も通信品質の良い周辺セル選択パラメータを有するセルをハンドオーバ先のセルに決定し、決定したセルに対してハンドオーバ処理を実行する周辺セル選択決定部と、
を備えることを特徴とする無線通信システム。
【請求項１４】
少なくとも１つのセルを制御して無線回線によって移動機と接続するとともにハンドオーバ制御サーバ機能を有するサーバ機能付き基地局を含む複数の基地局と、これら複数の基地局の少なくとも１台を収容する複数のエッジルータと、これらエッジルータの少なくとも１台を収容してネットワークと接続する複数のルータとを備える無線通信システムにおいて、
前記基地局は、
自局が制御するセル毎に使用リソースを測定し、測定した使用リソースをサーバ機能付き基地局に通知する使用リソース測定部、
を備え、
前記サーバ機能付き基地局は、
自局が制御するセル毎に使用リソースを測定する使用リソース測定部と、
前記複数の基地局に対応付けて当該基地局の使用周波数を含む無線アクセス方式、当該基地局が制御するセル情報、当該基地局を収容するエッジルータ、および当該エッジルータを収容するルータに関するネットワーク構成情報を記憶するネットワーク構成記憶部と、
前記複数の基地局が制御するセル構成に関するセル構成情報を記憶するセル構成記憶部と、
自局とは異なる基地局から通知された使用リソース、および自局の使用リソース測定部が測定した使用リソースを当該基地局に関連付けた使用リソース情報を記憶する使用リソース記憶部と、
前記移動機から通知される無線アクセス能力、前記ネットワーク構成記憶部に記憶されているネットワーク構成情報、前記セル構成記憶部に記憶されているセル構成情報、および使用リソース記憶部に記憶されている使用リソース情報に基づいて、前記移動機が現在接続中のセルの周辺セル毎の重み関数を算出し、算出した重み関数と当該重み関数を識別するための重み関数識別子とを組とした重み関数情報を記憶する重み関数算出部と、
前記重み関数算出部によって生成された重み関数情報、前記ネットワーク構成記憶部に記憶されているネットワーク構成情報、および前記セル構成記憶部に記憶されているセル構成情報に基づいて、前記周辺セルに対応付けて当該周辺セルの重み関数識別子、当該周辺セルを制御する基地局、当該基地局の無線アクセス方式、当該基地局を収容するエッジルータ、および当該エッジルータを識別するルータに関する情報が登録されたセルリストを生成し、少なくとも生成したセルリスト内の周辺セルと当該周辺セルを制御する基地局に関する情報を前記移動機に対するセルリストとして通知するセルリスト生成部と、
前記移動機から通知された無線回線品質情報および無線アクセス能力と、重み関数算出部が記憶する重み関数情報と、セルリスト生成部によって生成されたセルリストとに基づいて、前記重み関数情報内の重み関数に所定のパラメータを入力して各セルの周辺セル選択パラメータを算出し、算出した周辺セル選択パラメータに基づいてハンドオーバ先の候補となるセルを選択して前記移動機が接続中のセルよりも通信品質の良い周辺セル選択パラメータを有し、かつ最も通信品質の良い周辺セル選択パラメータを有するセルをハンドオーバ先のセルに決定し、決定したセルに対してハンドオーバ処理を実行する重み関数検証部と、
を備え、
前記移動機は、
前記サーバ機能付き基地局から通知されたセルリストを記憶する周辺セルリスト記憶部と、
前記周辺セルリスト記憶部に記憶されているセルリストに登録されている各周辺セルおよび現在接続中のセルとの無線回線品質を測定して前記サーバ機能付き基地局に通知する無線回線品質測定部と、
を備え、
前記サーバ機能付き基地局からのハンドオーバ先セル通知に含まれるセルへのハンドオーバ処理を実行すること、
を特徴とする無線通信システム。
【請求項１５】
複数のエッジルータと、これらエッジルータの少なくとも１台を収容して第１のネットワークを介してハンドオーバ制御サーバおよび第２のネットワークと接続する複数のルータとを有するコアネットワークを有し、前記ハンドオーバ制御サーバが、移動機から通知される無線アクセス能力と、自装置が記憶するネットワーク構成情報、セル構成情報、および使用リソース情報と、に基づいて前記移動機が現在接続中のセルの周辺セル毎の重み関数を算出し、算出した重み関数を含む重み関数情報、前記ネットワーク構成情報、および前記セル構成情報に基づいてセルリストを生成し、生成したセルリストおよび重み関数情報を移動機に通知し、移動機が、前記ハンドオーバ制御サーバから通知された重み関数情報およびセルリストと、測定した無線回線品質とに基づいてハンドオーバ先のセルを決定する無線通信システムに適用され、前記エッジルータに収容されるとともに、少なくとも１つのセルを制御して無線回線によって移動機と接続する基地局であって、
自局が制御するセル毎に使用リソースを測定し、測定した使用リソースを前記ハンドオーバ制御サーバに通知する使用リソース測定部、
を備えることを特徴とする基地局。
【請求項１６】
複数のエッジルータと、これらエッジルータの少なくとも１台を収容してネットワークと接続する複数のルータとを有するコアネットワークを有する無線通信システムに適用され、前記エッジルータに収容されるとともに、少なくとも１つのセルを制御して無線回線によって移動機と接続する基地局であって、
自局が制御するセル毎に使用リソースを測定する使用リソース測定部と、
前記複数の基地局に対応付けて当該基地局の使用周波数を含む無線アクセス方式、当該基地局が制御するセル情報、当該基地局を収容するエッジルータ、および当該エッジルータを収容するルータに関するネットワーク構成情報を記憶するネットワーク構成記憶部と、
前記複数の基地局が制御するセル構成に関するセル構成情報を記憶するセル構成記憶部と、
自局とは異なる基地局から通知された使用リソース、および自局の使用リソース測定部が測定した使用リソースを当該基地局に関連付けた使用リソース情報を記憶する使用リソース記憶部と、
前記移動機から通知される無線アクセス能力、前記ネットワーク構成記憶部に記憶されているネットワーク構成情報、前記セル構成記憶部に記憶されているセル構成情報、および前記使用リソース記憶部に記憶されている使用リソース情報に基づいて、前記移動機が現在接続中のセルの周辺セル毎の重み関数を算出し、算出した重み関数と当該重み関数を識別するための重み関数識別子とを組とした重み関数情報を前記移動機に通知する重み関数算出部と、
前記重み関数算出部によって生成された重み関数情報、前記ネットワーク構成記憶部に記憶されているネットワーク構成情報、および前記セル構成記憶部に記憶されているセル構成情報に基づいて、前記周辺セルに対応付けて当該周辺セルの重み関数識別子、当該周辺セルを制御する基地局、当該基地局の無線アクセス方式、当該基地局を収容するエッジルータ、および当該エッジルータを識別するルータに関する情報が登録されたセルリストを生成し、生成したセルリストを前記移動機に通知するセルリスト生成部と、
を備えることを特徴とする基地局。
【請求項１７】
複数のエッジルータと、これらエッジルータの少なくとも１台を収容してネットワークと接続する複数のルータとを有するコアネットワークを有する無線通信システムに適用され、前記エッジルータに収容されるとともに、少なくとも１つのセルを制御して無線回線によって移動機と接続する基地局であって、
自局が制御するセル毎に使用リソースを測定する使用リソース測定部と、
前記複数の基地局に対応付けて当該基地局の使用周波数を含む無線アクセス方式、当該基地局が制御するセル情報、当該基地局を収容するエッジルータ、および当該エッジルータを収容するルータに関するネットワーク構成情報を記憶するネットワーク構成記憶部と、
前記複数の基地局が制御するセル構成に関するセル構成情報を記憶するセル構成記憶部と、
自局とは異なる基地局から通知された使用リソース、および自局の使用リソース測定部が測定した使用リソースを当該基地局に関連付けた使用リソース情報を記憶する使用リソース記憶部と、
前記移動機から通知される無線アクセス能力、前記ネットワーク構成記憶部に記憶されているネットワーク構成情報、前記セル構成記憶部に記憶されているセル構成情報、および前記使用リソース記憶部に記憶されている使用リソース情報に基づいて、前記移動機が現在接続中のセルの周辺セル毎の重み関数を算出し、算出した重み関数と当該重み関数を識別するための重み関数識別子とを組とした重み関数情報を記憶する重み関数算出部と、
前記重み関数算出部によって生成された重み関数情報、前記ネットワーク構成記憶部に記憶されているネットワーク構成情報、および前記セル構成記憶部に記憶されているセル構成情報に基づいて、前記周辺セルに対応付けて当該周辺セルの重み関数識別子、当該周辺セルを制御する基地局、当該基地局の無線アクセス方式、当該基地局を収容するエッジルータ、および当該エッジルータを識別するルータに関する情報が登録されたセルリストを生成し、少なくとも生成したセルリスト内の周辺セルと当該周辺セルを制御する基地局に関する情報を前記移動機に対するセルリストとして通知するセルリスト生成部と、
前記移動機から通知された無線回線品質情報および無線アクセス能力と、重み関数算出部が記憶する重み関数情報と、セルリスト生成部によって生成されたセルリストとに基づいて、前記重み関数情報内の重み関数に所定のパラメータを入力して各セルの周辺セル選択パラメータを算出し、算出した周辺セル選択パラメータに基づいてハンドオーバ先の候補となるセルを選択して前記移動機が接続中のセルよりも通信品質の良い周辺セル選択パラメータを有し、かつ最も通信品質の良い周辺セル選択パラメータを有するセルをハンドオーバ先のセルに決定し、決定したセルに対してハンドオーバ処理を実行する重み関数検証部と、
を備えることを特徴とする基地局。
【請求項１８】
少なくとも１つのセルを制御する複数の基地局と、これら複数の基地局の少なくとも１台を収容する複数のエッジルータと、これらエッジルータの少なくとも１台を収容して第１のネットワークを介してハンドオーバ制御サーバおよび第２のネットワークと接続する複数のルータとを備え、前記ハンドオーバ制御サーバが無線アクセス能力と、自装置が記憶するネットワーク構成情報、セル構成情報、および使用リソース情報と、に基づいて周辺セル毎の重み関数を算出し、算出した重み関数を含む重み関数情報、前記ネットワーク構成情報、および前記セル構成情報に基づいてセルリストを生成し、生成したセルリストおよび算出した重み関数を報知する無線通信システムに適用され、前記基地局と無線回線によって接続する移動機であって、
前記ハンドオーバ制御サーバから通知されたセルリストを記憶する周辺セルリスト記憶部と、
前記ハンドオーバ制御サーバから通知された重み関数情報を記憶する重み関数記憶部と、
前記周辺セルリスト記憶部に記憶されているセルリストに登録されている各周辺セルおよび現在接続中のセルとの無線回線品質を測定する無線回線品質測定部と、
前記無線回線品質測定部によって測定された無線回線品質、周辺セルリスト記憶部に記憶されているセルリスト、重み関数記憶部に記憶されている重み関数情報、および自装置の無線アクセス能力に基づいて、前記重み関数情報内の重み関数に所定のパラメータを入力して各セルの周辺セル選択パラメータを算出し、算出した周辺セル選択パラメータに基づいてハンドオーバ先の候補となるセルを選択する周辺セル選択パラメータ算出／比較部と、
前記周辺セル選択パラメータ算出／比較部によって選択されたハンドオーバ先の候補となるセルの中から、現在接続中のセルよりも通信品質の良い周辺セル選択パラメータを有するセルの中で、最も通信品質の良い周辺セル選択パラメータを有するセルをハンドオーバ先のセルに決定し、決定したセルに対してハンドオーバ処理を実行する周辺セル選択決定部と、
を備えることを特徴とする移動機。
【請求項１９】
少なくとも１つのセルを制御する複数の基地局と、これら複数の基地局の少なくとも１台を収容する複数のエッジルータと、これらエッジルータの少なくとも１台を収容して第１のネットワークを介してハンドオーバ制御サーバおよび第２のネットワークと接続する複数のルータとを備え、前記基地局と無線回線によって接続され、前記ハンドオーバ制御サーバが無線アクセス能力と、自装置が記憶するネットワーク構成情報、セル構成情報、および使用リソース情報と、に基づいて周辺セル毎の重み関数を算出し、算出した重み関数を含む重み関数情報、前記ネットワーク構成情報、および前記セル構成情報に基づいてセルリストを生成して報知するとともに、前記セルリストおよび前記重み関数情報を用いてハンドオーバの制御を行なう無線通信システムに適用される移動機であって、
前記ハンドオーバ制御サーバから通知されたセルリストを記憶する周辺セルリスト記憶部と、
前記周辺セルリスト記憶部に記憶されているセルリストに登録されている各周辺セルおよび現在接続中のセルとの無線回線品質を測定して前記ハンドオーバ制御サーバに通知する無線回線品質測定部と、
を備え、
前記ハンドオーバ制御サーバから、前記通知した無線回線品質を用いて決定したハンドオーバ先のセルを通知するハンドオーバ先セル通知を受けると、通知されたセルへのハンドオーバ処理を実行すること、
を特徴とする移動機。
【請求項２０】
少なくとも１つのセルを制御するとともにハンドオーバ制御サーバの機能を有するサーバ機能付き基地局を含む複数の基地局と、これら複数の基地局の少なくとも１台を収容する複数のエッジルータと、これらエッジルータの少なくとも１台を収容してネットワークと接続する複数のルータとを備え、前記サーバ機能付き基地局が無線アクセス能力と、自装置が記憶するネットワーク構成情報、セル構成情報、および使用リソース情報と、に基づいて周辺セル毎の重み関数を算出し、算出した重み関数を含む重み関数情報、前記ネットワーク構成情報、および前記セル構成情報に基づいてセルリストを生成し、生成したセルリストおよび算出した重み関数を報知する無線通信システムに適用され、前記基地局と無線回線によって接続する移動機であって、
前記サーバ機能付き基地局から通知されたセルリストを記憶する周辺セルリスト記憶部と、
前記サーバ機能付き基地局から通知された重み関数情報を記憶する重み関数記憶部と、
前記周辺セルリスト記憶部に記憶されているセルリストに登録されている各周辺セルおよび現在接続中のセルとの無線回線品質を測定する無線回線品質測定部と、
前記無線回線品質測定部によって測定された無線回線品質、周辺セルリスト記憶部に記憶されているセルリスト、重み関数記憶部に記憶されている重み関数情報、および自装置の無線アクセス能力に基づいて、前記重み関数情報内の重み関数に所定のパラメータを入力して各セルの周辺セル選択パラメータを算出し、算出した周辺セル選択パラメータに基づいてハンドオーバ先の候補となるセルを選択する周辺セル選択パラメータ算出／比較部と、
前記周辺セル選択パラメータ算出／比較部によって選択されたハンドオーバ先の候補となるセルの中から、現在接続中のセルよりも通信品質の良い周辺セル選択パラメータを有するセルの中で、最も通信品質の良い周辺セル選択パラメータを有するセルをハンドオーバ先のセルに決定し、決定したセルに対してハンドオーバ処理を実行する周辺セル選択決定部と、
を備えることを特徴とする移動機。
【請求項２１】
少なくとも１つのセルを制御するとともにハンドオーバ制御サーバの機能を有するサーバ機能付き基地局を含む複数の基地局と、これら複数の基地局の少なくとも１台を収容する複数のエッジルータと、これらエッジルータの少なくとも１台を収容してネットワークと接続する複数のルータとを備え、前記基地局と無線回線によって接続され、前記サーバ機能付き基地局が無線アクセス能力と、自装置が記憶するネットワーク構成情報、セル構成情報、および使用リソース情報と、に基づいて周辺セル毎の重み関数を算出し、算出した重み関数を含む重み関数情報、前記ネットワーク構成情報、および前記セル構成情報に基づいてセルリストを生成して報知するとともに、前記セルリストおよび前記重み関数情報を用いてハンドオーバの制御を行なう無線通信システムに適用される移動機であって、
前記サーバ機能付き基地局から通知されたセルリストを記憶する周辺セルリスト記憶部と、
前記周辺セルリスト記憶部に記憶されているセルリストに登録されている各周辺セルおよび現在接続中のセルとの無線回線品質を測定して前記サーバ機能付き基地局に通知する無線回線品質測定部と、
を備え、
前記サーバ機能付き基地局から、前記通知した無線回線品質を用いて決定したハンドオーバ先のセルを通知するハンドオーバ先セル通知を受けると、通知されたセルへのハンドオーバ処理を実行すること、
を特徴とする移動機。
【請求項２２】
少なくとも１つのセルを制御して無線回線によって移動機と接続する複数の基地局と、これら複数の基地局の少なくとも１台を収容する複数のエッジルータと、これらエッジルータの少なくとも１台を収容して第１のネットワークを介して第２のネットワークと接続する複数のルータとを備える無線通信システムに適用され、前記第１のネットワークを介して前記ルータと接続するハンドオーバ制御サーバであって、
前記複数の基地局に対応付けて当該基地局の使用周波数を含む無線アクセス方式、当該基地局が制御するセル情報、当該基地局を収容するエッジルータ、および当該エッジルータを収容するルータに関するネットワーク構成情報を記憶するネットワーク構成記憶部と、
前記複数の基地局が制御するセル構成に関するセル構成情報を記憶するセル構成記憶部と、
前記基地局から通知された使用リソースを当該基地局に関連付けた使用リソース情報を記憶する使用リソース記憶部と、
前記移動機から通知される無線アクセス能力、前記ネットワーク構成記憶部に記憶されているネットワーク構成情報、前記セル構成記憶部に記憶されているセル構成情報、および前記使用リソース記憶部に記憶されている使用リソース情報に基づいて、前記移動機が現在接続中のセルの周辺セル毎の重み関数を算出し、算出した重み関数と当該重み関数を識別するための重み関数識別子とを組とした重み関数情報を前記移動機に通知する重み関数算出部と、
前記重み関数算出部によって生成された重み関数情報、前記ネットワーク構成記憶部に記憶されているネットワーク構成情報、および前記セル構成記憶部に記憶されているセル構成情報に基づいて、前記周辺セルに対応付けて当該周辺セルの重み関数識別子、当該周辺セルを制御する基地局、当該基地局の無線アクセス方式、当該基地局を収容するエッジルータ、および当該エッジルータを識別するルータに関する情報が登録されたセルリストを生成し、生成したセルリストを前記移動機に通知するセルリスト生成部と、
を備えることを特徴とするハンドオーバ制御サーバ。
【請求項２３】
少なくとも１つのセルを制御して無線回線によって移動機と接続する複数の基地局と、これら複数の基地局の少なくとも１台を収容する複数のエッジルータと、これらエッジルータの少なくとも１台を収容して第１のネットワークを介して第２のネットワークと接続する複数のルータとを備える無線通信システムに適用され、前記第１のネットワークを介して前記ルータと接続するハンドオーバ制御サーバであって、
前記複数の基地局に対応付けて当該基地局の無線アクセス方式、当該基地局が制御するセル情報、当該基地局を収容するエッジルータ、および当該エッジルータを収容するルータに関するネットワーク構成情報を記憶するネットワーク構成記憶部と、
前記複数の基地局が制御するセル構成に関するセル構成情報を記憶するセル構成記憶部と、
前記基地局から通知された使用リソースを当該基地局に関連付けた使用リソース情報を記憶する使用リソース記憶部と、
前記移動機から通知される無線アクセス能力、前記ネットワーク構成記憶部に記憶されているネットワーク構成情報、および前記セル構成記憶部に記憶されているセル構成情報に基づいて、前記移動機が現在接続中のセルの周辺セル毎の重み関数を算出し、算出した重み関数と当該重み関数を識別するための重み関数識別子とを組とした重み関数情報を記憶する重み関数算出部と、
前記重み関数算出部によって生成された重み関数情報、前記ネットワーク構成記憶部に記憶されているネットワーク構成情報、および前記セル構成記憶部に記憶されているセル構成情報に基づいて、前記周辺セルに対応付けて当該周辺セルの重み関数識別子、当該周辺セルを制御する基地局、当該基地局の無線アクセス方式、当該基地局を収容するエッジルータ、および当該エッジルータを識別するルータに関する情報が登録されたセルリストを生成し、少なくとも生成したセルリスト内の周辺セルと当該周辺セルを制御する基地局に関する情報を前記移動機に対するセルリストとして通知するセルリスト生成部と、
前記移動機から通知された無線回線品質情報および無線アクセス能力と、重み関数算出部が記憶する重み関数情報と、セルリスト生成部によって生成されたセルリストとに基づいて、前記重み関数情報内の重み関数に所定のパラメータを入力して各セルの周辺セル選択パラメータを算出し、算出した周辺セル選択パラメータに基づいてハンドオーバ先の候補となるセルを選択して前記移動機が接続中のセルよりも通信品質の良い周辺セル選択パラメータを有し、かつ最も通信品質の良い周辺セル選択パラメータを有するセルをハンドオーバ先のセルに決定し、重み関数検証部と、
を備えることを特徴とするハンドオーバ制御サーバ。
【発明の詳細な説明】
【技術分野】
【０００１】
本発明は、無線通信システムに関するものであり、特に、無線通信システムにおけるハンドオーバに関するものである。
【背景技術】
【０００２】
従来から、無線通信システムにおけるハンドオーバ方法に関する種々の技術が考えられている。移動機がハンドオーバするセルを選択する条件として無線回線品質を用いるハンドオーバ方法には、移動機がハンドオーバするセルを選択する方法と基地局制御装置がハンドオーバするセルを選択する方法とがある。【０００３】
移動機がハンドオーバするセルを選択する方法では、通信中のセルの無線回線品質が劣化すると、移動機が、予め報知情報によって取得したハンドオーバ候補先のセル（通信中のセルの周辺のセル）の無線回線品質を測定し、測定した無線回線品質の中で最も無線回線品質が良いセルを選択し、選択したセルと無線回線を設定することで無線回線品質が劣化したセルから無線回線品質の良いセルにハンドオーバする。【０００４】
基地局制御装置がハンドオーバするセルを選択する方法では、通信中のセルの無線回線品質が劣化すると、移動機が、予め報知情報によって取得したハンドオーバ候補先のセル（通信中のセルの周辺のセル）の無線回線品質を測定して基地局制御装置に通知し、基地局制御装置が、通知された各セルの無線回線品質の中で最も無線回線品質が良いセルを選択し、選択したセルを制御する基地局の無線リソースを確保するとともに、選択したセルへのハンドオーバを移動機に指示し、移動機は、基地局制御装置からの指示にしたがって無線回線品質が劣化したセルから無線回線品質の良いセルにハンドオーバする。【０００５】
また、無線回線品質のみでなく、他の条件も考慮してハンドオーバするセルを選択する従来技術として、たとえば、特許文献１および２がある。特許文献１には、移動局（移動機）のハンドオーバ候補先のセルを制御する無線基地局（基地局）が、自局の受け付け可能な移動機数（受付可能移動局数）を報知し、この報知情報を受信した移動局が報知情報の受信レベルから無線回線品質を割り出し、その受信レベルが所定の値以上であって、かつ受付可能移動局数が最も多い基地局を接続先として選択する技術が開示されている。【０００６】
具体的には、各無線基地局が、総通信資源量と、予め定められている単位通信資源量（システムに対して想定される通信環境、最低通信速度、および通信品質に依存する値）と、自局が現在接続中の移動局数とに基づいて受付可能移動局数を算出し、算出した受付可能移動局数を含む報知信号を一定周期で送出する。【０００７】
移動局は、接続先候補となり得る各周辺無線基地局からの報知信号の受信レベルが所定の受信レベル以上の場合、報知信号に含まれる受付可能移動局数を抽出する。移動局は、抽出した受付可能移動局数の中で、最大値をとる無線基地局を接続先無線基地局として選択する。ここで、最大値をとる無線基地局が複数存在する場合には、最大値をとる無線基地局の中で、報知信号の受信レベルが最大の無線基地局を接続先無線基地局として選択する。【０００８】
特許文献２には、使用可能な無線リソース量を通知して、ハンドオーバ候補のセルを選択する技術が開示されている。具体的には、各無線基地局（基地局）が定期的にビーコン信号を送信し、無線リソース管理装置が移動端末装置（移動機）の周辺に存在する無線基地局の識別子と、当該無線基地局の無線基地局情報を含んだ無線基地局情報広告メッセージを移動端末装置に対して定期的に通知する。【０００９】
移動端末装置は、各無線基地局からのビーコン信号および無線基地局情報広告メッセージから、通信中の無線基地局より受信状態が十分に良い無線基地局があることを検出すると、各無線基地局の識別子、これら無線基地局との通信品質情報、および自装置が必要とするリソース量に関する情報を含んだ検出無線基地局通知メッセージを無線リソース管理装置に送信する。【００１０】
無線リソース管理装置は、検出無線基地局通知メッセージを受信すると、検出無線基地局通知メッセージにより取得する情報や、各無線基地局の無線リソース情報、それぞれの無線基地局を使用した場合の課金情報、移動端末装置の各無線基地局に対するアクセス権限に関する情報などに基づいて移動先候補となる無線基地局を選択する。【００１１】
無線リソース管理装置は、選択した移動先候補の各無線基地局とこれら無線基地局の通信品質に関する情報とを含んだ移動先候補無線基地局通知メッセージを移動端末装置に送信する。移動端末装置は移動先候補無線基地局通知メッセージ内の各種情報や、各無線基地局からの受信回線品質に基づいて移動先無線基地局を決定する。【００１２】
【特許文献１】特開２００４−１２８６３６号公報
【特許文献２】特開２００３−３４８００７号公報
【発明の開示】
【発明が解決しようとする課題】
【００１３】
しかしながら、移動体ネットワークにおける無線リソース割り当てにおいては、無線回線品質に応じて使用する無線リソースが変化する。そのため、無線リソースを報知または通知して移動先基地局を選択する上記特許文献１および２に記載の従来技術を移動体ネットワークに適用することはできないという問題があった。【００１４】
また、移動機の移動速度に応じて、移動速度が速いほど大きなセルを割り当てるセル選択方法や、基地局の有線側の経路を考慮した（たとえば、有線側の経路が複雑化するようなセルを選択させないようにするなど）セル選択方法を用いる場合、上記特許文献１および２に記載の従来技術を用いて、無線回線品質および無線リソースの使用状況によって移動先基地局（移動先セル）を選択すると、選択候補となるセルを選択する判断基準が限定されてしまうという問題があった。【００１５】
さらに、複数の無線周波数ならびに無線アクセス方式を有する移動体ネットワークにおいては、移動機における周辺セルの無線品質回線の測定能力に限界があり、無線周波数や無線アクセス方式を変更するようなハンドオーバではハンドオーバに伴う通信品質の劣化が発生する。このため、複数の無線周波数ならびに無線アクセス方式を有する移動体ネットワークにおいては、移動機が無線回線品質を測定する周辺セルも、移動機の測定能力を考慮して選択しなくてはならないという問題があった。【００１６】
本発明は、上記に鑑みてなされたものであって、無線回線品質に応じて使用する無線リソースが変化する場合に、移動機が測定する無線回線品質の程度に応じてハンドオーバ先のセルを決定してハンドオーバを行なう無線通信システムを得ることを第１の目的とする。【００１７】
第２の目的は、移動機のハンドオーバ先を決定するために測定する無線回線品質の測定付加を軽減することができる無線通信システムを得ることである。
【課題を解決するための手段】
【００１８】
上述した課題を解決し、目的を達成するために、本発明は、少なくとも１つのセルを制御して無線回線によって移動機と接続する複数の基地局と、これら複数の基地局の少なくとも１台を収容する複数のエッジルータと、これらエッジルータの少なくとも１台を収容して第１のネットワークを介してハンドオーバ制御サーバおよび第２のネットワークと接続する複数のルータとを備える無線通信システムにおいて、前記基地局は、自局が制御するセル毎に使用リソースを測定し、測定した使用リソースを前記ハンドオーバ制御サーバに通知する使用リソース測定部、を備え、前記ハンドオーバ制御サーバは、前記複数の基地局に対応付けて当該基地局の使用周波数を含む無線アクセス方式、当該基地局が制御するセル情報、当該基地局を収容するエッジルータ、および当該エッジルータを収容するルータに関するネットワーク構成情報を記憶するネットワーク構成記憶部と、前記複数の基地局が制御するセル構成に関するセル構成情報を記憶するセル構成記憶部と、前記基地局から通知された使用リソースを当該基地局に関連付けた使用リソース情報を記憶する使用リソース記憶部と、前記移動機から通知される無線アクセス能力、前記ネットワーク構成記憶部に記憶されているネットワーク構成情報、前記セル構成記憶部に記憶されているセル構成情報、および前記使用リソース記憶部に記憶されている使用リソース情報に基づいて、前記移動機が現在接続中のセルの周辺セル毎の重み関数を算出し、算出した重み関数と当該重み関数を識別するための重み関数識別子とを組とした重み関数情報を前記移動機に通知する重み関数算出部と、前記重み関数算出部によって生成された重み関数情報、前記ネットワーク構成記憶部に記憶されているネットワーク構成情報、および前記セル構成記憶部に記憶されているセル構成情報に基づいて、前記周辺セルに対応付けて当該周辺セルの重み関数識別子、当該周辺セルを制御する基地局、当該基地局の無線アクセス方式、当該基地局を収容するエッジルータ、および当該エッジルータを識別するルータに関する情報が登録されたセルリストを生成し、生成したセルリストを前記移動機に通知するセルリスト生成部と、を備え、前記移動機は、前記ハンドオーバ制御サーバから通知されたセルリストを記憶する周辺セルリスト記憶部と、前記ハンドオーバ制御サーバから通知された重み関数情報を記憶する重み関数記憶部と、前記周辺セルリスト記憶部に記憶されているセルリストに登録されている各周辺セルおよび現在接続中のセルとの無線回線品質を測定する無線回線品質測定部と、前記無線回線品質測定部によって測定された無線回線品質、周辺セルリスト記憶部に記憶されているセルリスト、重み関数記憶部に記憶されている重み関数情報、および自装置の無線アクセス能力に基づいて、前記重み関数情報内の重み関数に所定のパラメータを入力して各セルの周辺セル選択パラメータを算出し、算出した周辺セル選択パラメータに基づいてハンドオーバ先の候補となるセルを選択する周辺セル選択パラメータ算出／比較部と、前記周辺セル選択パラメータ算出／比較部によって選択されたハンドオーバ先の候補となるセルの中から、現在接続中のセルよりも通信品質の良い周辺セル選択パラメータを有するセルの中で、最も通信品質の良い周辺セル選択パラメータを有するセルをハンドオーバ先のセルに決定し、決定したセルに対してハンドオーバ処理を実行する周辺セル選択決定部と、を備えることを特徴とする。
【発明の効果】
【００１９】
本発明にかかる無線通信システムは、ハンドオーバ制御サーバが、無線通信システムのネットワーク構成情報およびセル構成情報と、移動機の無線アクセス能力と、各基地局が測定したセル毎の使用リソースとに基づいて、移動機が通信中のセルの周辺セル毎の重み関数を算出し、算出した重み関数と当該重み関数を識別するための重み関数識別子とを組とした重み関数情報を移動機に通知するとともに、重み関数情報、ネットワーク構成情報、およびセル構成情報に基づいて、周辺セルに対応付けて当該周辺セルの重み関数識別子、当該周辺セルを制御する基地局、当該基地局の無線アクセス方式、当該基地局を収容するエッジルータ、および当該エッジルータを識別するルータに関する情報が登録されたセルリストを生成し、生成したセルリストを移動機に通知し、移動機が、ハンドオーバ制御サーバから通知されたセルリストに登録されている周辺セルおよび現在接続中のセルの無線回線品質を測定し、測定した無線回線品質と、ハンドオーバ制御サーバから通知された重み関数情報およびセルリストとを用いて周辺セル選択パラメータを算出してハンドオーバ先のセルを決定するようにしているため、移動機が測定する無線回線品質の程度に応じてハンドオーバ先のセルを決定してハンドオーバを行なう無線通信システムを得ることができるという効果を奏する。
【図面の簡単な説明】
【００２０】
【図１】図１は、この発明における無線通信システムの構成を示す概略図である。
【図２】図２は、図１に示した無線アクセスネットワークのセル構成の一例を示す図である。
【図３】図３は、図１に示した基地局のハンドオーバ処理に関する機能構成を示すブロック図である。
【図４】図４は、図１に示したハンドオーバ制御サーバのハンドオーバ処理に関する機能構成を示すブロック図である。
【図５】図５は、図４に示したネットワーク構成記憶部が記憶するネットワーク構成情報の構成の一例を示す図である。
【図６】図６は、図４に示したセル構成記憶部が記憶するセル構成情報の構成の一例を示す図である。
【図７】図７は、図４に示したセルリスト生成部が生成するセルリストの一例を示す図である。
【図８】図８は、図１に示した移動機のハンドオーバ処理に関する機能構成を示すブロック図である。
【図９】図９は、この実施の形態１のハンドオーバ制御サーバの動作を説明するためのフローチャートである。
【図１０】図１０は、この実施の形態１の移動機の動作を説明するためのフローチャートである。
【図１１】図１１は、この実施の形態１の無線通信システムの動作を説明するためのシーケンス図である。
【図１２】図１２は、この実施の形態２の移動機のハンドオーバ処理に関する機能構成を示すブロック図である。
【図１３】図１３は、この実施の形態２のハンドオーバ制御サーバのハンドオーバ処理に関する機能構成を示すブロック図である。
【図１４】図１４は、この実施の形態２の無線通信システムの動作を説明するためのシーケンス図である。
【符号の説明】
【００２１】
１，１ａ  移動機
２−１，２−２，２−３，２−４，２−５，２−６，２−７  基地局
３，３ａ  ハンドオーバ制御サーバ
４−１，４−２，４−３  エッジルータ
５ー１，５−２  ルータ
６  無線アクセスネットワーク
７  コアネットワーク
８  ＩＰネットワーク
９  移動ネットワーク
１０  インターネット
１１−１−１，１１−１−２，１１−１−３，１１−１−４，１１−１−５，１１−１−６，１１−２−１，１１−２−２，１１−２−３，１１−２−４，１１−２−５，１−３−１，１１−３−２，１１−３−３，１１−３−４，１１−３−５，１１−４−１，１１−４−２，１１−４−３，１１−４−４，１１−４−５，１１−５−１，１１−５−２，１１−５−３，１１−５−４，１１−５−５，１１−５−６，１１−６−１，１１−６−２，１１−６−３，１１−６−４，１１−６−５，１１−６−６，１１−７−１，１１−７−２，１１−７−３，１１−７−４  セル
１２  重み関数記憶部
１３  周辺セルリスト記憶部
１４  無線回線品質測定部
１５  周辺セル選択パラメータ算出／比較部
１６  周辺セル選択決定部
１７  無線回線送受信部
２１，３１  有線回線終端部
２２  使用リソース測定部
２３  無線回線送受信部
３２  基地局通信制御部
３３  移動機通信制御部
３４  セルリスト生成部
３５  重み関数算出部
３６  ネットワーク構成記憶部
３７  セル構成記憶部
３８  使用リソース記憶部
３９  重み関数検証部
【発明を実施するための最良の形態】
【００２２】
以下に、本発明における無線通信システム、基地局、移動機、およびハンドオーバ制御サーバの実施の形態を図面に基づいて詳細に説明する。なお、この実施の形態によりこの発明が限定されるものではない。【００２３】
実施の形態１．
図１〜図１１を用いてこの発明の実施の形態１を説明する。図１は、この発明における無線通信システムの構成を示す概略図である。図１において、無線通信システムは、移動ネットワーク９と、移動ネットワーク９と接続されるインターネット（Ｉｎｔｅｒｎｅｔ）１０と、無線回線によって無線アクセスネットワーク６に接続しインターネット１０を介して他の移動機や固定端末などと通信を行う移動機（ＭＳ）１とを備えている。【００２４】
移動ネットワーク９は、無線アクセスネットワーク６とコアネットワーク７とで構成される。無線アクセスネットワーク６は、無線回線によって移動機１と接続する複数（この場合は７台）の基地局（ＢＳ）２（２−１〜２−７を示す）と、移動機１のハンドオーバを制御するハンドオーバ制御サーバ（ＨＯＳ）３を備えている。【００２５】
コアネットワーク７は、基地局２を収容する複数（この場合は３台）のエッジルータ（Ｅｄｇｅ  Ｒｏｕｔｅｒ）４（４−１〜４−３を示す）と、エッジルータ４へのルーチングを行なうとともにエッジルータ４を収容する複数（この場合は２台）のルータ（Ｒｏｕｔｅｒ）５（５−１，５−２を示す）と、ルータ５、ハンドオーバ制御サーバ３、およびインターネット１０が接続されるＩＰネットワーク（ＩＰ−Ｎｅｔｗｏｒｋ）８とを備えている。【００２６】
図１においては、エッジルータ４−１は有線回線によって基地局２−７を収容し、エッジルータ４−２が有線回線によって基地局２−１，２−５を収容し、エッジルータ４−３が有線によって２−２，２−３，２−６を収容し、基地局２−４は無線回線によって基地局２−３を介してエッジルータ４−３に収容されている。【００２７】
図２は、図１に示した無線アクセスネットワーク６のセル構成の一例を示す図である。図２において、セル１１−１−１〜１１−１−６は基地局２−１によって制御され、セル１１−２−１〜１１−２−５は基地局２−２によって制御され、セル１１−３−１〜１１−３−５は基地局２−３によって制御され、セル１１−４−１〜１１−４−５は基地局２−４によって制御され、セル１１−５−１〜１１−５−６は基地局２−５によって制御され、セル１１−６−１〜１１−６−６は基地局２−６によって制御され、セル１１−７−１〜１１−７−４は基地局２−７によって制御される。なお、基地局２が制御するセルの数は、１以上であれば幾つでもかまわない。【００２８】
この発明における無線通信システムは、先の図１に示すように構成され、基地局２とハンドオーバ制御サーバ３とは、エッジルータ４、ルータ５、およびＩＰネットワーク８を介して相互通信を行なう。また、移動機１とハンドオーバ制御サーバ３とは、基地局２、エッジルータ４、ルータ５、およびＩＰネットワーク８を介して相互通信を行なう。【００２９】
つぎに、図３〜図７を参照して、図１に示した基地局２、移動機１、およびハンドオーバ制御サーバ３のハンドオーバ処理に関する機能構成を説明する。【００３０】
まず、基地局２のハンドオーバ処理に関する機能構成について説明する。基地局２−１，２−５〜２−７は、同一の無線アクセス方式、使用周波数によって移動機１と接続する基地局であり、基地局２−２〜２−４は、基地局２−１，２−５〜２−７とは異なる無線アクセス方式、または使用周波数によって移動機１と接続する基地局２であるが、ハンドオーバ処理に関する機能構成は無線アクセス方式および使用周波数に依存することなく同一のものである。【００３１】
基地局２は、ハンドオーバ制御サーバ３の指示によって、無線リソースや有線リソース、および装置リソース（自局内部のバッファリングソースやＣＰＵ使用率など）などの自局の使用リソースを自局が制御するセル毎に測定し、測定した使用リソースをハンドオーバ制御サーバ３に通知する。【００３２】
図３は、図１に示した基地局２のハンドオーバ処理に関する機能構成を示すブロック図である。図３において、基地局２は、エッジルータ４と接続する有線回線のインタフェース機能を有し有線回線を終端する有線回線終端部２１と、移動機１と接続する無線回線のインタフェース機能を有し無線による信号を送受信する無線回線送受信部２３と、ハンドオーバ制御サーバ３の指示によって、自局が制御するセル毎に使用リソースを測定してハンドオーバ制御サーバ３に通知する使用リソース測定部２２とを備えている。【００３３】
つぎに、ハンドオーバ制御サーバ３のハンドオーバ処理に関する機能構成について説明する。ハンドオーバ制御サーバ３は、基地局２から通知される使用リソース、自装置が管理する移動ネットワーク９のネットワーク構成情報、および基地局２が制御するセル１１（１１−１−１〜１１−１−６，１１−２−１〜１１−２−５，１１−３−１〜１１−３−５，１１−４−１〜１１−４−５，１１−５−１〜１１−５−６，１１−６−１〜１１−６−６，１１−７−１〜１１−７−４を示す）の構成を示すセル構成情報に基づいてセルリストを生成し、生成した重み関数を基地局２を介して移動機１に通知する。【００３４】
図４は、図１に示したハンドオーバ制御サーバ３のハンドオーバ処理に関する機能構成を示すブロック図である。図４において、ハンドオーバ制御サーバ３は、有線回線終端部３１、ネットワーク構成記憶部３６、セル構成記憶部３７、基地局通信制御部３２、使用リソース記憶部３８、セルリスト生成部３４、重み関数算出部３５、および移動機通信制御部３３を備えている。【００３５】
有線回線終端部３１は、ＩＰネットワーク８と接続する有線回線のインタフェース機能を備え、有線回線を終端する。ネットワーク構成記憶部３６は、移動ネットワーク９のネットワーク構成を示すネットワーク構成情報を記憶する。ネットワーク構成情報にはセルリスト生成部３４がセルリストを作成するために必要な情報の中で、ネットワーク構成に関する情報が登録される。【００３６】
図５は、図４に示したネットワーク構成記憶部３６が記憶するネットワーク構成情報の構成の一例を示す図である。図５において、ネットワーク構成情報は、基地局１００には、基地局２を識別するための基地局識別子が登録され、無線アクセス方式１０１には、基地局１００に登録された基地局２の無線アクセス方式（使用周波数を含む）が登録され、セル情報１０２には、基地局１００に登録された基地局２が制御するセル１１を識別するためのセル識別子が登録され、収容エッジルータ１０３には、基地局１００に登録された基地局２を収容するエッジルータ４を識別するためのエッジルータ識別子が登録され、収容ルータ１０４には、収容エッジルータ１０３に登録されたエッジルータ４を収容するルータ５を識別するためのルータ識別子が登録される。【００３７】
図５では、基地局１００に登録された基地局２−１の基地局識別子「ＢＳ＃１」に対応付けて、無線アクセス方式１０１に無線アクセス方式「Ａ」が登録され、セル情報１０２にセル１１−１−１〜１１−１−６のセル識別子「Ｃｅｌｌ＃１−１〜Ｃｅｌｌ＃１−６」が登録され、収容エッジルータ１０３にエッジルータ４−２のエッジルータ識別子「ＥＲ＃２」が登録され、収容ルータ１０４にルータ５−１のルータ識別子「Ｒ＃１」が登録されている。また、基地局１００に登録された基地局２−２の基地局識別子「ＢＳ＃２」に対応付けて、無線アクセス方式１０１に無線アクセス方式「Ｂ」が登録され、セル情報１０２にセル１１−２−１〜１１−２−５のセル識別子「Ｃｅｌｌ＃２−１〜Ｃｅｌｌ＃２−５」が登録され、収容エッジルータ１０３にエッジルータ４−３のエッジルータ識別子「ＥＲ＃３」が登録され、収容ルータ１０４にルータ５−２のルータ識別子「Ｒ＃２」が登録されている。図５においては、基地局２−１，２−２のみを記載しているが、実際には、ハンドオーバ制御サーバ３が管理する基地局２に対応付けた各情報が登録される。【００３８】
セル構成記憶部３７は、無線アクセスネットワーク６のセル構成情報を記憶する。セル構成情報には、重み関数算出部３５が重み関数を生成するために必要な情報、およびセルリスト生成部３４がセルリストを作成するために必要な情報の中で、セル１１の構成に関する情報が登録される。【００３９】
図６は、図４に示したセル構成記憶部３７が記憶するセル構成情報の構成の一例を示す図である。図６において、セル構成情報は、基準セル２００と、基地局２０１と、隣接セル２０２とで構成される。基準セル２００には、セル１１のセル識別子が登録され、基地局２０１には、基準セル２００に登録されたセル１１を制御する基地局２の基地局識別子が登録され、隣接セル２０２には基準セル２００に登録されたセル１１と隣接するセル１１のセル識別子が登録される。【００４０】
図６では、基準セル２００に登録されたセル１１−１−１のセル識別子「Ｃｅｌｌ＃１−１」に対応付けて、基地局２０１に基地局２−１の基地局識別子「ＢＳ＃１」と「ＢＳ＃５」とが登録され、隣接セル２０２には基地局識別子「ＢＳ＃１」に対応付けてセル１１−１−２〜１１−１−６のセル識別子「Ｃｅｌｌ＃１−２〜Ｃｅｌｌ＃１−６」と、基地局識別子「ＢＳ＃５」に対応付けてセル１１−５−３のセル識別子「Ｃｅｌｌ＃５−３」とが登録されている。【００４１】
また、基準セル２００に登録されたセル１１−１−２のセル識別子「Ｃｅｌｌ＃１−２」に対応付けて、基地局２０１に基地局２−１，２−２，２−６の基地局識別子「ＢＳ＃１」，「ＢＳ＃２」，「ＢＳ＃６」が登録され、隣接セル２０２には基地局識別子「ＢＳ＃１」に対応付けてセル１１−１−１，１１−１−３，１１−１−６のセル識別子「Ｃｅｌｌ＃１−１」，「Ｃｅｌｌ＃１−３」，「Ｃｅｌｌ１−６」が登録され，基地局識別子「ＢＳ＃２」に対応付けてセル１１−２−１，１１−２−２のセル識別子「Ｃｅｌｌ＃２−１」，「Ｃｅｌｌ＃２−２」が登録され、基地局識別子「ＢＳ＃６」に対応付けてセル１１−６−３のセル識別子「Ｃｅｌｌ＃６−３」が登録されている。【００４２】
図６においては、セル１１−１−１，１１−１−２のみを記載しているが、実際には、先の図２に示した移動ネットワーク９内のハンドオーバ制御サーバ３が管理する基地局２が制御するセル１１を基準セルとした情報が登録される。【００４３】
基地局通信制御部３２は、基地局２との通信に関する制御を行なうとともに、ネットワーク構成記憶部３６に記憶されているネットワーク構成情報、およびセル構成記憶部３７に記憶されているセル構成情報に基づいて、自装置が制御すべきセルを制御する基地局２に使用リソースを要求する。【００４４】
使用リソース記憶部３８は、基地局通信制御部３２の要求に応じて基地局２から通知された使用リソースを基地局２に対応付けて登録する使用リソース情報を記憶する。上述したように、使用リソースは基地局２が制御するセル毎に測定される。すなわち、使用リソースは、測定されたセル識別子に対応付けて、無線リソースや有線リソース、および装置リソース（自局内部のバッファリングソースやＣＰＵ使用率など）などの使用リソースが基地局２から通知される。使用リソース記憶部３８は、測定されたセル識別子が示すセル１１を制御する基地局２（使用リソースを送信した基地局２）の基地局識別子を測定されたセル識別子に対応付けた使用リソース情報を記憶する。【００４５】
重み関数算出部３５は、移動機１から通知される無線アクセス能力、使用リソース記憶部３８に記憶されている使用リソース情報、ネットワーク構成記憶部３６に記憶されているネットワーク構成情報、およびセル構成記憶部３７に記憶されているセル構成情報に基づいて、セル毎の重み関数を生成する。重み関数とは、無線回線品質を入力として、移動機１がハンドオーバを行なうか否かを選択するための周辺セル選択パラメータを出力する関数である。重み関数算出部３５は、算出した重み関数を識別するための重み関数識別子と重み関数と当該重み関数を算出したセル識別子とを対応付けて管理する。【００４６】
セルリスト生成部３４は、重み関数算出部３５が生成したセル毎の重み関数、ネットワーク構成記憶部３６に記憶されているネットワーク構成、およびセル構成記憶部３７に記憶されているセル構成に基づいて移動機１に対するセルリストを生成する。【００４７】
図７は、図４に示したセルリスト生成部３４が生成するセルリストの一例を示す図である。セルリストには、周辺セル３００、重み関数３０１、基地局３０２、無線アクセス方式３０３、収容エッジルータ３０４、および収容ルータ３０５が登録される。【００４８】
周辺セル３００には、周辺セルとして選択されたセル１１のセル識別子が登録される。重み関数３０１には、周辺セル３００に登録されたセル１１に対する重み関数の重み関数識別子が登録される。基地局３０２には、周辺セル３００に登録されたセル１１を制御する基地局２の基地局識別子が登録される。無線アクセス方式３０３には、基地局３０２に登録された基地局２の無線アクセス方式が登録される。収容エッジルータ３０４には、基地局３０２に登録された基地局２を収容するエッジルータ４のエッジルータ識別子が登録される。収容ルータ３０５には、収容エッジルータ３０４に登録されたエッジルータ４を収容するルータ５のルータ識別子が登録される。【００４９】
移動機通信制御部３３は、セルリスト生成部３４によって生成されたセルリスト、および重み関数算出部３５によって算出された重み関数と重み関数識別子とを組とした重み関数情報を有線回線終端部３１、基地局２を介して移動機１に送信する。【００５０】
つぎに、移動機１のハンドオーバ処理に関する機能構成について説明する。移動機１は、基地局２を介してハンドオーバ制御サーバ３から通知されたセルリストに登録されている情報、および無線回線品質に基づいてハンドオーバを実行する。【００５１】
図８は、先の図１に示した移動機１のハンドオーバ処理に関する機能構成を示すブロック図である。図８において、移動機１は、無線回線送受信部１７、周辺セルリスト記憶部１３、重み関数記憶部１２、無線回線品質測定部１４、周辺セル選択パラメータ算出／比較部１５、および周辺セル選択決定部１６を備えている。【００５２】
無線回線送受信部１７は、基地局２と接続する無線回線のインタフェース機能を有し無線による信号を送受信する。周辺セルリスト記憶部１３は、基地局２を介してハンドオーバ制御サーバ３から通知されるセルリストを記憶する。重み関数記憶部１２は、ハンドオーバ制御サーバ３から通知される重み関数情報を記憶する。【００５３】
無線回線品質測定部１４は、周辺セルリスト記憶部１３に記憶されているセルリスト内のセル識別子が示すセル毎の無線回線品質を、予め定められた周期毎に測定する。また、無線回線品質測定部１４は、通信中の基地局２との無線回線品質を測定する。【００５４】
周辺セル選択パラメータ算出／比較部１５は、無線回線品質測定部１４によって測定された各セルの無線回線品質、および重み関数記憶部１２に記憶されている各セルの重み関数情報に基づいて各セルの周辺セル選択パラメータを算出し、算出した周辺セル選択パラメータに基づいて、ハンドオーバ先の候補となるセルを選択する。【００５５】
周辺セル選択決定部１６は、周辺セル選択パラメータ算出／比較部１５によって選択されたハンドオーバ先の候補となるセルの中から、ハンドオーバ先のセルを決定してハンドオーバ処理を実行する。【００５６】
つぎに、図１〜図１１を参照して、この発明にかかる無線通信システムの動作を説明する。まず、基地局２の動作を説明する。有線回線終端部２１を介してハンドオーバ制御サーバ３から使用リソース送信要求を受けると、使用リソース測定部２２は、使用リソース送信要求に基づいて、自局が制御するセル１１の使用リソースを測定し、有線回線終端部２１を介して、測定した使用リソースをハンドオーバ制御サーバ３に送信する。【００５７】
ハンドオーバ制御サーバ３から受信する使用リソース送信要求は、たとえば、定期的に基地局２が使用リソースを測定して報告する定期報告要求や、要求時に基地局２が使用リソースを測定して報告する使用リソース要求、基地局２が移動機１に新たに無線リソースや有線リソース、装置リソースを割り当てたときに使用リソースを測定して報告する報告要求、定期的に基地局２が使用リソースを測定し、測定した使用リソースが予め定められた閾値を越えた場合のみ測定した使用リソースを報告する超過報告要求などがある。【００５８】
定期報告要求を受けた場合、使用リソース測定部２２は、予め定められた測定周期毎、または定期報告要求に含まれる測定周期毎に自局が制御するセル１１の使用リソースを測定してハンドオーバ制御サーバ３に送信する。使用リソース要求を受けた場合、使用リソース測定部２２は、自局が制御するセル１１の使用リソースを測定し、測定した使用リソースをハンドオーバ制御サーバ３に送信する。【００５９】
報告要求を受けた場合、使用リソース測定部２２は、基地局２が移動機１に新たに無線リソースや有線リソース、装置リソースを割り当てたときに使用リソースを測定し、測定した使用リソースをハンドオーバ制御サーバ３に送信する。【００６０】
超過報告要求を受けた場合、使用リソース測定部２２は、予め定められた測定周期毎、または超過報告要求に含まれる測定周期毎に自局が制御するセル１１の使用リソースを測定する。使用リソース測定部２２は、測定した使用リソース、すなわち無線リソースや有線リソース、自局内部のバッファリングソース、ＣＰＵ使用率が、それぞれ予め定められた閾値、または超過報告要求に含まれる閾値を超えているか否かを判定する。少なくとも１つの値が、閾値を越えている場合、使用リソース測定部２２は、測定した使用リソースをハンドオーバ制御サーバ３に送信する。【００６１】
つぎに、この実施の形態１のハンドオーバ制御サーバ３の動作を説明する。図９は、この実施の形態１のハンドオーバ制御サーバ３の動作を説明するためのフローチャートである。基地局通信制御部３２はセル構成記憶部３７に記憶されているセル構成情報に基づいて、自装置が制御すべきセルを制御する基地局２を選択する（ステップＳ１００）。【００６２】
具体的には、ハンドオーバ制御サーバ３には、予め基地局２を介して移動機１の位置が登録されている。基地局通信制御部３２は、この位置登録から移動機１が位置するセル１１を認識する。ここで、移動機１がセル１１−１−１に位置しているとする。基地局通信制御部３２は、移動機１が位置するセル１１−１−１を示すセル識別子「Ｃｅｌｌ＃１−１」を検索キーとして、先の図６に示したセル構成情報の基準セル２００に登録されているセル識別子を検索して、検索キーに対応付けて登録されている基地局識別子および隣接セルのセル識別子を取得する。ここでは、基地局識別子「ＢＳ＃１」，「ＢＳ＃５」と隣接セルのセル識別子として「Ｃｅｌｌ＃１−２〜Ｃｅｌｌ＃１−６」，「Ｃｅｌｌ＃５−３」を取得する。【００６３】
基地局通信制御部３２には、予め周辺セルとして選択する周辺セルに関する情報が設定されている。周辺セルに関する情報とは、移動機１が位置するセルから何隣接までを周辺セルとして選択するかの情報である。周辺セルに関する情報が１隣接であれば、基地局通信制御部３２は、移動機１が位置するセル１１−１−１に隣接するセル１１−１−２〜１１−１−６，１１−５−３（図２参照）を周辺セルとして選択する。すなわち、先の図６に示したセル構成情報の基準セル２００に対応付けて登録されている隣接セル１０１が周辺セルとなる。【００６４】
また、周辺セルに関する情報が２隣接であれば、基地局通信制御部３２は、移動機１が位置するセル１１−１−１に隣接するセル１１−１−２〜１１−１−６，１１−５−３と、これらのセル１１−１−２〜１１−１−６，１１−５−３に隣接するセル１１−２−１，１１−２−２，１１−３−３，１１−３−４，１１−４−２，１１−４−３，１１−５−１，１１−５−２，１１−５−４，１１−６−３，１１−６−４，１１−７−２（図２参照）を周辺セルとして選択する。すなわち、移動機１が位置するセル１１を検索キーとして取得した隣接セル２０２に登録されているセル識別子をそれぞれ検索キーとして基準セル２００を検索して、検索キーと一致した基準セル２００に対応付けて基地局２０１および隣接セル２０２に登録されている基地局識別子およびセル識別子を取得し、取得したすべてのセル識別子（重複するセル識別子は１つとする）を周辺セルとして選択する。【００６５】
基地局通信制御部３２は、有線回線終端部３１を介して選択した周辺セルを制御する基地局２、すなわちセル構成情報から取得した基地局識別子が示す基地局２に使用リソース送信要求を送信する（ステップＳ１０１）。【００６６】
有線回線終端部３１を介して基地局２からの使用リソースを受信すると、基地局通信制御部３２は、受信した使用リソースに基地局２の情報を付加した使用リソース情報を使用リソース記憶部３８に格納する（ステップＳ１０２，Ｓ１０３）。【００６７】
移動機通信制御部３３は、移動機１の位置登録によって、移動機１が通信を開始して特定のセルで無線回線を張ったこと、または異なるセルに移動（ハンドオーバ）して移動機１の隣接セルが変更になったことを検出し、上述したステップＳ１００〜Ｓ１０３の動作によって移動機１の周辺セルを制御する基地局２からの使用リソース情報を収集した後に、移動機１への重み関数導出指示を重み関数算出部３５に出力する。【００６８】
重み関数導出指示を受けると重み関数算出部３５は、移動機１から通知される無線アクセス能力、使用リソース記憶部３８に記憶されている使用リソース情報、ネットワーク構成記憶部３６に記憶されているネットワーク構成情報、およびセル構成記憶部３７に記憶されているセル構成情報に基づいて、セル毎の重み関数を生成する（ステップＳ１０４，Ｓ１０５）。【００６９】
具体的には、重み関数算出部３５は、使用リソース情報のセル毎の使用リソース、当該セルを制御する基地局２に対応付けてネットワーク構成情報に登録されている無線アクセス方式や収容エッジルータ、収容ルータの性能や使用状況、およびセル構成情報から移動機１が位置しているセル１１と重み関数を算出する対象セルとの位置関係（１隣接であるのか２隣接であるのかなど）の情報に基づいて、ハンドオーバするセルとして選択する際に無線回線品質に重み付けをする重み関数を算出する。【００７０】
重み関数算出部３５は、算出した重み関数と当該重み関数を識別する重み関数を組とした重み関数情報と重み関数を算出したセルのセル識別子とを対応付けてセルリスト生成部３４に通知する。重み関数算出部３５は、重み関数情報をセルリスト生成部３４に通知する際に、周辺セルとして適切であるか否かを判定し、不適切であると判定した場合には、重み関数としてたとえば「Ｎｕｌｌ」など重み関数とは異なるコードとする。【００７１】
周辺セルとして不適切な周辺セルとは、たとえば、周辺セルとして選択されたセルの中で移動機１が位置するセルと隣接するセルを制御する基地局２の無線アクセス方式が同一であって、かつ空き容量（使用リソース）が予め定められた閾値より大きいセルが存在する場合に、周辺セルとして選択されたセルの中で移動機１が位置するセルとは異なる無線アクセス方式のセルのことである。【００７２】
また、ハンドオーバ制御サーバ３には、通信を確立する際に移動機１から移動機１の無線アクセス能力や通信に必要なリソース量ならびに通信品質が通知され、これらの情報が登録されている。重み関数算出部３５は、これらの情報によっても、周辺セルとして適切であるか否かを判定する。ここで、無線アクセス能力とは、移動機１が使用可能な無線アクセス方式や周波数などであり、通信に必要なリソース量としては最低必要な無線帯域ならびに有線帯域であり、通信品質とはビットエラーレートや遅延品質などである。【００７３】
周辺セルとして適切であるか否かの判定は、移動機１の無線アクセス能力や通信に必要なリソース量ならびに通信品質、使用リソース情報、セル構成情報、およびネットワーク構成情報に基づいて行なえばよい。なお、周辺セルとして適切であるかの判定を行なった後に、適切であると判定した周辺セルに対してのみ重み関数を生成するようにしてもよい。【００７４】
セルリスト生成部３４は、重み関数算出部３５から通知された重み関数情報およびセル識別子、ネットワーク構成記憶部３６に記憶されているネットワーク構成情報、およびセル構成記憶部３７に記憶されているセル構成情報に基づいてセルリスト（図７参照）を生成する（ステップＳ１０６）。【００７５】
具体的には、セルリスト生成部３４は、重み関数算出部３５から通知された重み関数情報に対応付けられたセル識別子を周辺セル３００に登録し、重み関数３０１に重み関数情報内の重み関数識別子を登録する。セルリスト生成部３４は、周辺セル３００に登録したセル識別子を検索キーとしてセル構成情報の隣接セル２０２を検索し、検索キーと一致する隣接セル２０２に対応付けて基地局２０１に登録されている基地局識別子を取得する。セルリスト生成部３４は、取得した基地局識別子を基地局３０２に登録する。【００７６】
また、セルリスト生成部３４は、取得した基地局識別子を検索キーとしてネットワーク構成情報の基地局１００を検索して、検索キーと一致する基地局１００に対応付けられて登録されている無線アクセス方式、収容エッジルータ識別子、および収容ルータ識別子を取得する。セルリスト生成部３４は、取得した無線アクセス方式を無線アクセス方式３０３に登録し、取得した収容エッジルータ識別子を収容エッジルータ３０４に登録し、取得した収容ルータ識別子を収容ルータ３０５に登録する。【００７７】
重み関数算出部３５から通知された重み関数情報およびセル識別子毎に、セルリスト生成部３４は、重み関数算出部３５から通知された重み関数情報およびセル識別子、ネットワーク構成記憶部３６に記憶されているネットワーク構成情報、およびセル構成記憶部３７に記憶されているセル構成情報に基づいてセルリストを生成する。セルリスト生成部３４は、重み関数が「Ｎｕｌｌ」の重み関数情報に関しては、セルリストへの登録を行なわないようにする。【００７８】
セルリスト生成部３４は、有線回線終端部３１および基地局２を介して、重み関数算出部３５から通知された重み関数情報、および生成したセルリストを移動機１に送信する（ステップＳ１０７）。【００７９】
つぎに、この実施の形態１の移動機１の動作を説明する。図１０は、この実施の形態１の移動機１の動作を説明するためのフローチャートである。移動機１は、無線回線送受信部１７を介してハンドオーバ制御サーバ３からの重み関数情報およびセルリストを受信すると（ステップＳ２００）、受信した重み関数情報を重み関数記憶部１２に格納し（ステップＳ２０１）、受信したセルリストを周辺セルリスト記憶部１３に格納する（ステップＳ２０２）。【００８０】
予め定められた測定時間になると、無線回線品質測定部１４は、周辺セルリスト記憶部１３に記憶されているセルリストの周辺セル３００に登録されているセル識別子が示すそれぞれのセルとの無線回線品質を測定する（ステップＳ２０３，Ｓ２０４）。無線回線品質測定部１４は、測定した各セルの無線回線品質をセル識別子に対応付けて周辺セル選択パラメータ算出／比較部１５に通知する。【００８１】
周辺セル選択パラメータ算出／比較部１５は、無線回線品質測定部１４によって測定された無線回線品質、周辺セルリスト記憶部１３に記憶されているセルリスト、および重み関数記憶部１２に記憶されている重み関数情報を用いて、周辺セル選択パラメータを算出する（ステップＳ２０５）。【００８２】
具体的には、周辺セル選択パラメータ算出／比較部１５は、無線回線品質測定部１４から通知された無線回線品質が対応付けられているセル識別子を検索キーとしてセルリストの周辺セル３００を検索して、検索キーと一致した周辺セル３００に対応付けて重み関数３０１に登録されている重み関数識別子を取得する。【００８３】
周辺セル選択パラメータ算出／比較部１５は、取得した重み関数識別子を検索キーとして重み関数記憶部１２に記憶されている重み関数情報の重み関数識別子を検索して、検索キーと一致した重み関数識別子に対応付けて登録されている重み関数を取得する。周辺セル選択パラメータ算出／比較部１５は、取得した重み関数に無線回線品質測定部１４から通知された無線回線品質を代入して当該セルの周辺セル選択パラメータを算出する。周辺セル選択パラメータ算出／比較部１５は、周辺セルのセル識別子に対応付けて算出した周辺セル選択パラメータを記憶する（ステップＳ２０６）。【００８４】
周辺セル選択パラメータ算出／比較部１５は、現在通信中のセル１１との無線回線品質と予め定められた閾値とを比較する（ステップＳ２０７）。現在通信中のセル１１との無線回線品質が予め定められた閾値より小さい場合、すなわち通信中のセル１１との無線回線品質が所定の値を満足できなくなった場合、周辺セル選択パラメータ算出／比較部１５は、周辺セル選択指示を周辺セル選択決定部１６に出力する。【００８５】
周辺セル選択指示を受けると、周辺セル選択決定部１６は、周辺セル選択パラメータ算出／比較部１５に記憶されている周辺セル選択パラメータの中で、現在通信中のセル１１の選択パラメータよりも通信品質の良い周辺セル選択パラメータがあるか否かを判定する（ステップＳ２０８）。現在通信中のセル１１の選択パラメータよりも通信品質の良い周辺セル選択パラメータがあると判定した場合、周辺セル選択決定部１６は、現在通信中のセル１１の選択パラメータよりも通信品質の良い周辺セル選択パラメータを選択する。周辺セル選択決定部１６は、現在通信中のセル１１の選択パラメータよりも通信品質の良い周辺セル選択パラメータが複数ある場合には、周辺セル選択パラメータの中で最も通信品質の良い周辺セル選択パラメータを選択する。【００８６】
周辺セル選択決定部１６は、選択した周辺セル選択パラメータを有するセル１１をハンドオーバするセルに決定する。周辺セル選択決定部１６は、決定したセルを示すセル識別子を検索キーとして周辺セルリスト記憶部１３に記憶されているセルリストの周辺セル３００を検索し、検索キーと一致するセル識別子に対応付けて登録される基地局識別子、無線アクセス方式、収容エッジルータ識別子、および収容ルータ識別子を取得して、ハンドオーバ処理を実行する（ステップＳ２０９）。【００８７】
つぎに、図１１のシーケンス図を参照して、この発明における実施の形態１の無線通信システムの動作を説明する。なお、図１１においては、基地局２の台数を３台（基地局２−１〜２−３）としているが、基地局２の台数はこれに限るものではない。基地局２−１〜２−３は、定期報告要求を受けており、定期的に使用リソース測定してハンドオーバ制御サーバ３に報告するものとする。【００８８】
移動機１が通信を行っていない場合、すなわち基地局２−１〜２−３に接続していない場合、ハンドオーバ制御サーバ３は、各セル単位の周辺セルの情報（重み関数情報およびセルリスト）を基地局２−１〜２−３を介して報知する。この場合、移動機１が通信を行なっていないため、移動機１の能力や通信品質を取得することはできない。そのため、ハンドオーバ制御サーバ３は、周辺セルの無線アクセス方式や周波数、当該基地局２−１〜２−３の使用リソース数から割り出して重み関数を算出する。なお、移動機１が通信中でない場合には、報知する周辺セルの情報内の重み関数を設定しないようにしてもよい。【００８９】
基地局２−１〜２−３は、ハンドオーバ制御サーバ３から定期報告要求を受けており、ハンドオーバ制御サーバ３に使用リソースを定期報告する。定期報告を受けると、ハンドオーバ制御サーバ３は、報知用情報（周辺セルの情報）を更新して基地局２−１〜２−３を介して報知する。【００９０】
移動機１が通信状態への移行手順を実行する。ここでは、移動機１が、基地局２−１が制御するセル１１−１−１において通信を確立して通信状態となる。通信の確立は一般的な移動体ネットワークにおける通信確立手順を用いるが、移動機１は、通信を確立する際に、ハンドオーバ制御サーバ３に対して、移動機１の無線アクセス能力や通信に必要なリソース量ならびに通信品質を登録する。【００９１】
基地局２−１〜２−３は、ハンドオーバ制御サーバ３から定期報告要求を受けており、ハンドオーバ制御サーバ３に使用リソースを定期報告する。ハンドオーバ制御サーバ３は、基地局２−１〜２−３から定期報告された使用リソースに基地局２−１〜２−３の基地局識別子を付加した使用リソース情報を記憶する。ハンドオーバ制御サーバ３は、使用リソース情報、ネットワーク構成情報、およびセル構成情報に基づいてセル毎の重み関数を生成する。ハンドオーバ制御サーバ３は、生成した重み関数と当該重み関数の重み関数識別子とを対応付けた重み関数情報を生成する。【００９２】
ハンドオーバ制御サーバ３は、移動機１から受信した無線アクセス能力、通信に必要なリソース量ならびに通信品質と、基地局２−１〜２−３から報告される使用リソース、ネットワーク構成情報から得られる周辺セルの無線アクセス能力（無線アクセス方式ならびに周波数）から周辺セルを選択する。【００９３】
ハンドオーバ制御サーバ３は、選択した周辺セル、ネットワーク構成情報、セル構成情報、および重み関数情報に基づいてセルリストを更新する。ハンドオーバ制御サーバ３は、更新したセルリストおよび重み関数情報を周辺セルの情報として移動機１に通知する。【００９４】
移動機１は、現在通信中のセル１１−１−１との無線回線品質において所望の通信品質が得られなくなった場合、ハンドオーバ制御サーバ３から通知された周辺セルの情報内のセルリストに基づいて周辺セルの無線回線品質を測定し、測定した無線回線品質および現在通信中のセル１１−１−１との無線回線品質を入力値としてセル毎の重み関数計算を実行して周辺セル選択パラメータを算出する。【００９５】
移動機１は、現在通信中のセル１１−１−１の周辺セル選択パラメータより品質の良い周辺セル選択パラメータが存在する場合には、現在通信中のセル１１−１−１の周辺セル選択パラメータより品質の良い周辺セル選択パラメータを有するセルをハンドオーバ先のセルに決定し、予め定められたハンドオーバ手順を実行する。ここでは、移動機１は、セル１１−１−１を制御する基地局２−１から、基地局２−２が制御するセルにハンドオーバしたものとする。【００９６】
ハンドオーバ手順が実行されると、ハンドオーバ先のセルを制御する基地局２−２は、無線リソースの使用数が変更となる。そのため、基地局２−２は、無線リソースが変更されたことをハンドオーバ制御サーバ３に報告する。無線リソースが変更されたことを通知する無線リソース変更報告は、定期報告とは異なるもので無線リソースが変更された時に通知するものである。【００９７】
無線リソース変更報告を受けると、ハンドオーバ制御サーバ３は、使用リソース情報を更新し、更新した使用リソース情報を用いて重み関数を生成して重み関数情報およびセルリストを更新する。ハンドオーバ制御サーバ３は、更新した重み関数情報およびセルリストを含む周辺セルの情報を移動機１に通知する。【００９８】
このようにこの実施の形態１においては、ハンドオーバ制御サーバ３が、無線通信システムのネットワーク構成情報およびセル構成情報と、移動機の無線アクセス能力と、各基地局２が測定したセル毎の使用リソースとに基づいて、移動機１が通信中のセルの周辺セル毎の重み関数を算出し、算出した重み関数と当該重み関数を識別するための重み関数識別子とを組とした重み関数情報を移動機１に通知するとともに、重み関数情報、ネットワーク構成情報、およびセル構成情報に基づいて、周辺セルに対応付けて当該周辺セルの重み関数識別子、当該周辺セルを制御する基地局、当該基地局の無線アクセス方式、当該基地局を収容するエッジルータ、および当該エッジルータを識別するルータに関する情報が登録されたセルリストを生成し、生成したセルリストを移動機１に通知し、移動機１が、ハンドオーバ制御サーバ３から通知されたセルリストに登録されている周辺セルおよび現在接続中のセルの無線回線品質を測定し、測定した無線回線品質と、ハンドオーバ制御サーバ３から通知された重み関数情報およびセルリストとを用いて周辺セル選択パラメータを算出してハンドオーバ先のセルを決定するようにしている。【００９９】
すなわち、ハンドオーバ制御サーバ３が、移動機の無線アクセス能力と基地局の使用リソースならびに無線回線品質を考慮した重み関数を移動機１に通知するようにしている。これにより、移動機１が測定する無線回線品質の程度に応じて、柔軟にハンドオーバ先のセルを決定することができる。【０１００】
なお、この実施の形態１では、ハンドオーバ制御サーバ３において基地局２からの使用リソースの報告の受信、ならびに周辺セルの選択、周辺セル単位の重み関数の算出を行い、移動機１に通知する場合を例に挙げて説明したが、複数の基地局２をグループ化してハンドオーバ制御サーバ３の機能を基地局２に分散実装するようにして、この実施の形態１と同一の機能を実現してもよい。【０１０１】
具体的には、無線通信システム内の基地局２を予めグループ化しておき、グループ内の基地局２の１つを、実施の形態１の基地局２の機能に加え、ハンドオーバ制御サーバ３のネットワーク構成記憶部３６、セル構成記憶部３７、使用リソース記憶部３８、重み関数算出部３５、およびセルリスト生成部３４をさらに備えたハンドオーバ制御サーバの機能を有するサーバ機能付き基地局２とする。【０１０２】
サーバ機能付き基地局２は、自局が存在するグループ内の基地局２に対して使用リソース送信要求を送信して、グループ内の基地局２から使用リソースを収集し、収集した使用リソースに基地局識別子を付加した使用リソース情報を生成し、グループ内の基地局２が制御するセルを対象として周辺セルを選択して重み関数情報およびセルリストを生成する。サーバ機能付き基地局２は、生成した重み関数情報およびセルリストを移動機１に通知する。【０１０３】
このようにサーバ機能付き基地局２が、自局が存在するグループ内の基地局２が制御するセルを対象として周辺セルを選択して重み関数情報およびセルリストを生成することにより、重み関数情報およびセルリストを生成する処理負荷を分散させることが可能となる。【０１０４】
また、この実施の形態１では、移動機１の周辺セル選択パラメータ算出／比較部１５が、現在通信中のセルとの無線回線品質が予め定められた閾値より小さい場合に周辺セル選択パラメータを算出して、周辺セル選択決定部１６が、周辺セル選択パラメータ算出／比較部１５が算出した周辺セル選択パラメータに基づいてハンドオーバ先のセルを決定するようにしたが、移動機１の周辺セル選択パラメータ算出／比較部１５が現在通信中のセルとの無線回線品質と予め定められた閾値とを比較することなく周辺セル選択パラメータを算出して、周辺セル選択決定部１６が、現在通信中のセルの周辺セル選択パラメータよりも通信品質の良い周辺セル選択パラメータを有する周辺セルをハンドオーバ先のセルに決定するようにしてもよい。【０１０５】
実施の形態２．
図１２〜図１４を用いてこの発明の実施の形態２を説明する。先の実施の形態１においては、移動機１がハンドオーバ先のセルを決定するようにしたが、この実施の形態２では、ハンドオーバ制御サーバ３がハンドオーバ先のセルを決定するものである。【０１０６】
この発明における実施の形態２の無線通信システムは、先の図１に示した実施の形態１の無線通信システムの移動機１およびハンドオーバ制御サーバ３の代わりに、移動機１ａおよびハンドオーバ制御サーバ３ａを備えている。【０１０７】
図１２は、移動機１ａのハンドオーバ処理に関する機能構成を示すブロック図である。図１２に示した移動機１ａは、先の図４に示した実施の形態１の移動機１の重み関数記憶部１２、周辺セル選択パラメータ算出／比較部１５、および周辺セル選択決定部１６が削除されている。図４に示した実施の形態１の移動機１と同じ機能を持つ構成部分には同一符号を付し、重複する説明は省略する。【０１０８】
無線回線品質測定部１４は、周辺セルリスト記憶部１３に記憶されているセルリストの周辺セル３００に登録されているセル識別子が示すセル１１との無線回線品質を測定した後に、無線回線送受信部１７、基地局２を介して測定した無線回線品質（通信中のセルとの無線回線品質を含む）をハンドオーバ制御サーバ３ａに通知する。【０１０９】
図１３は、ハンドオーバ制御サーバ３ａのハンドオーバ処理に関する機能構成を示すブロック図である。図１３に示したハンドオーバ制御サーバ３ａは、図４に示した実施の形態１のハンドオーバ制御サーバ３に重み関数検証部３９が追加されている。図４の示した実施の形態１のハンドオーバ制御サーバ３と同じ機能を持つ構成部分には同一符号を付し、重複する説明は省略する。【０１１０】
重み関数検証部３９は、移動機１ａから通知された無線回線品質、重み関数算出部３５によって算出された重み関数、およびセルリスト生成部３４によって生成されたセルリストに基づいて周辺セル選択パラメータを算出し、算出した周辺セルパラメータに基づいてハンドオーバ先のセルを決定する。すなわち、先の図４に示した実施の形態１の移動機１の周辺セル選択パラメータ算出／比較部１５、および周辺セル選択決定部１６と同様の機能を備えている。【０１１１】
つぎに、図１４のシーケンス図を参照して、この実施の形態２の無線通信システムの動作を説明する。なお、移動機１ａが通信状態になるまでの動作は、先の図１１のシーケンス図を参照して説明した実施の形態１の無線通信システムの動作とほぼ同じであり、相違点は、実施の形態１の無線通信システムでは、ハンドオーバ制御サーバ３が、周辺セルの情報としてセルリストおよび重み関数情報を通知するのに対して、この実施の形態２の無線通信システムでは、ハンドオーバ制御サーバ３ａが周辺セルの情報としてセルリストのみを通知する点であるので、移動機１ａが通信状態になるまでの動作は省略する。【０１１２】
基地局２−１〜２−３は、ハンドオーバ制御サーバ３ａから定期報告要求を受けており、ハンドオーバ制御サーバ３に使用リソースを定期報告する。ハンドオーバ制御サーバ３ａは、基地局２−１〜２−３から定期報告された使用リソースに基地局２−１〜２−３の基地局識別子を付加した使用リソース情報を記憶する。ハンドオーバ制御サーバ３ａは、使用リソース情報、ネットワーク構成情報、およびセル構成情報に基づいてセル毎の重み関数を生成する。ハンドオーバ制御サーバ３ａは、算出した重み関数と当該重み関数の重み関数識別子とを対応付けて重み関数情報として記憶しておく。【０１１３】
ハンドオーバ制御サーバ３ａは、通信状態になった時に移動機１ａから受信した無線アクセス能力、通信に必要なリソース量ならびに通信品質と、基地局２−１〜２−３から報告される使用リソース、ネットワーク構成情報から得られる周辺セルの無線アクセス能力（無線アクセス方式ならびに周波数）から周辺セルを選択する。【０１１４】
ハンドオーバ制御サーバ３ａは、選択した周辺セル、ネットワーク構成情報、セル構成情報、および重み関数情報に基づいてセルリストを更新する。ハンドオーバ制御サーバ３ａは、更新したセルリストを周辺セルの情報として移動機１ａに通知する。【０１１５】
移動機１ａは、ハンドオーバ制御サーバ３ａから通知された周辺セルの情報内のセルリストに基づいて周辺セルの無線回線品質を測定し、測定した無線回線品質および現在通信中のセル１１−１−１との無線回線品質をそれぞれのセル識別子と対応付けて無線品質測定結果通知としてハンドオーバ制御サーバ３ａに通知する。【０１１６】
ハンドオーバ制御サーバ３ａは、無線回線品質測定結果通知を受けると、無線回線品質測定結果通知、重み関数情報、およびセルリストに基づいてハンドオーバ先のセルを決定する。【０１１７】
具体的には、移動機１ａが通信中のセル１１−１−１の無線回線品質が予め定められた閾値より小さい場合、すなわち通信中のセル１１との無線回線品質が所定の値を満足できなくなった場合、先の図１３に示した重み関数検証部３９が、無線回線品質測定結果通知のセル識別子を検索キーとして、セルリスト生成部３４が生成したセルリスト（図７参照）の周辺セル３００を検索して、検索キーと一致する周辺セル３００に対応付けて重み関数３０１に登録されている重み関数識別子を取得する。【０１１８】
重み関数検証部３９は、取得した重み関数識別子を検索キーとして重み関数算出部３５が記憶している重み関数情報の重み識別子を検索し、検索キーと一致した重み識別子に対応付けて登録されている重み関数を取得する。重み関数検証部３９は、取得した重み関数に検索キーとしたセル識別子に対応付けられている無線回線品質測定結果通知の無線回線品質を代入して当該セルの周辺セル選択パラメータを算出する。【０１１９】
重み関数検証部３９は、無線回線品質測定結果通知内のすべてのセル識別子を検索キーとして、セル毎の周辺セル選択パラメータ、および移動機１ａが通信中のセル１１−１−１の周辺セル選択パラメータを算出した後に、算出した周辺セル選択パラメータの中に現在通信中のセル１１の選択パラメータよりも通信品質の良い周辺セル選択パラメータがあるか否かを判定する。【０１２０】
移動機１ａが通信中のセル１１−１−１の選択パラメータよりも通信品質の良い周辺セル選択パラメータがあると判定した場合、重み関数検証部３９は、移動機１ａが通信中のセル１１−１−１の選択パラメータよりも通信品質の良い周辺セル選択パラメータを選択し、選択した周辺セル選択パラメータを有するセル１１をハンドオーバ先のセルに決定する。【０１２１】
ハンドオーバ制御サーバ３ａは、決定したハンドオーバ先のセルのセル識別子を含むハンドオーバ先セル通知を移動機１ａに通知する。ハンドオーバ先セル通知を受けると、移動機１ａは、ハンドオーバ先セル通知内のセル識別子が示すセルをハンドオーバ先のセルとして、ハンドオーバ手順を実行する。ここでは、移動機１ａは、セル１１−１−１を制御する基地局２−１から、基地局２−２が制御するセルにハンドオーバしたものとする。【０１２２】
ハンドオーバ手順が実行されると、ハンドオーバ先のセルを制御する基地局２−２は、無線リソースの使用数が変更となり、無線リソースが変更されたことをハンドオーバ制御サーバ３ａに報告する。【０１２３】
無線リソース変更報告を受けると、ハンドオーバ制御サーバ３ａは、使用リソース情報を更新し、更新した使用リソース情報を用いて重み関数を生成して重み関数情報およびセルリストを更新する。ハンドオーバ制御サーバ３ａは、更新したセルリストを含む周辺セルの情報を移動機１ａに通知する。【０１２４】
このようにこの実施の形態２においては、ハンドオーバ制御サーバ３ａが、無線通信システムのネットワーク構成情報およびセル構成情報と、移動機１ａの無線アクセス能力と、各基地局２が測定したセル毎の使用リソースとに基づいて、移動機１ａが通信中のセルの周辺セル毎の重み関数を算出し、算出した重み関数と当該重み関数を識別するための重み関数識別子とを組とした重み関数情報を生成するとともに、重み関数情報、ネットワーク構成情報、およびセル構成情報に基づいて、周辺セルに対応付けて当該周辺セルの重み関数識別子、当該周辺セルを制御する基地局、当該基地局の無線アクセス方式、当該基地局を収容するエッジルータ、および当該エッジルータを識別するルータに関する情報が登録されたセルリストを生成し、生成したセルリストを移動機に通知し、移動機１ａが、ハンドオーバ制御サーバ３から通知されたセルリストに登録されている周辺セルおよび現在接続中のセルの無線回線品質を測定してハンドオーバ制御サーバ３ａに通知し、ハンドオーバ制御サーバ３ａが移動機１ａから通知された無線回線品質と、重み関数情報およびセルリストとを用いて周辺セル選択パラメータを算出してハンドオーバ先のセルを決定するようにしている。これにより、移動機１ａが測定する無線回線品質の程度に応じて、柔軟にハンドオーバ先のセルを決定することができる。【０１２５】
なお、この実施の形態２では、ハンドオーバ制御サーバ３ａの重み関数検証部３９が、現在通信中のセルとの無線回線品質が予め定められた閾値より小さい場合に周辺セル選択パラメータを算出し、算出した周辺セル選択パラメータに基づいてハンドオーバ先のセルを決定するようにしたが、ハンドオーバ制御サーバ３ａの重み関数検証部３９が、現在通信中のセルとの無線回線品質と予め定められた閾値とを比較することなく周辺セル選択パラメータを算出して現在通信中のセルの周辺セル選択パラメータよりも通信品質の良い周辺セル選択パラメータを有する周辺セルをハンドオーバ先のセルに決定するようにしてもよい。【０１２６】
また、この実施の形態２では、ハンドオーバ制御サーバ３ａが移動機１ａから通知される周辺セル毎の無線回線品質を用いて周辺セル選択パラメータを算出するため、移動機１ａに通知するセルリストの情報としては、無線回線品質を測定すべき周辺セルの情報が含まれていればよい。したがって、ハンドオーバ制御サーバ３ａのセルリスト生成部３４は、生成したセルリストの中で周辺セルのセル識別子、および当該周辺セルを制御する基地局２の基地局識別子のみを移動機１ａに通知するようにしてもよい。これにより、ハンドオーバ制御サーバ３ａが移動機１ａに通知すべき情報量を削減することができる。【０１２７】
さらに、この実施の形態２のハンドオーバ制御サーバ３ａにおいて基地局２からの使用リソースの報告の受信、ならびに周辺セルの選択、周辺セル単位の重み関数の算出を行い、移動機１ａに通知する場合を例に挙げて説明したが、複数の基地局２をグループ化してハンドオーバ制御サーバ３ａの機能を基地局２に分散実装するようにして、この実施の形態２と同一の機能を実現してもよい。【０１２８】
具体的には、無線通信システム内の基地局２を予めグループ化しておき、グループ内の基地局２の１つを、実施の形態２の基地局２の機能に加え、ハンドオーバ制御サーバ３ａのネットワーク構成記憶部３６、セル構成記憶部３７、使用リソース記憶部３８、重み関数算出部３５、セルリスト生成部３４、および重み関数検証部３９をさらに備えたハンドオーバ制御サーバの機能を有するサーバ機能付き基地局２とする。【０１２９】
この場合、各サーバ機能付き基地局２間で自局が決定したセルの周辺セル選択パラメータをやりとりし、最も通信品質の良い周辺セル選択パラメータのセルをハンドオーバ先のセルとして決定したサーバ機能付き基地局２がハンドオーバ先セル通知を移動機１ａに通知するようにしても良いし、予めサーバ機能付き基地局２のマスタ局を指定しておき、マスタ局以外のサーバ機能付き基地局２が、マスタ局に自局がハンドオーバ先として決定したセルおよび当該セルの周辺セル選択パラメータを通知し、マスタ局のサーバ機能付き基地局２が最終的にハンドオーバ先のセルを決定してハンドオーバ先セル通知を移動機１ａに通知するようにしてもよい。【０１３０】
このようにサーバ機能付き基地局２が自局が存在するグループ内の基地局２が制御するセルを対象として周辺セルを選択して重み関数情報およびセルリストを生成するとともに、周辺セル選択パラメータを算出することにより、重み関数情報およびセルリストを生成する処理負荷、および周辺セル選択パラメータを算出する処理負荷を分散させることが可能となる。【０１３１】
実施の形態３．
先の実施の形態１および２では、セルの隣接関係のみを対象として周辺セルを選択した。そのため、図２のセル構成において、たとえば、移動機１または移動機１ａがセル１１−１−１に位置しており、２隣接を周辺セルとして選択する場合、セル１１−１−２〜１１−１−６，１１−２−１，１１−２−２，１１−３−３，１１−３−４，１１−４−２，１１−４−３，１１−５−１〜１１−５−４，１１−６−３，１１−６−４，１１−７−２の１８セルが選択される。この場合、無線アクセス方式や使用可能周波数の異なるセルも周辺セルとして選択され、先の図７に示したセルリストが生成される。【０１３２】
使用周波数や使用無線アクセス方式が異なるセルへのハンドオーバは、ハンドオーバに要する無線回線の切断時間が増大するなどの欠点があるため、ハンドオーバ先のセルから除外したい場合もある。また、逆に特定の周波数もしくは無線アクセス方式にトラフィックが集中することにより周波数利用効率が悪化することもある。このような状況を回避するために、実施の形態１および２においては使用周波数や使用無線アクセス方式ならびにセルの使用リソースにより重み関数を変更するようにしている。【０１３３】
しかしながら、異なる周波数や異なる無線アクセス方式の無線回線品質を測定することは、移動機１または移動機１ａの処理負荷が大きくなるという問題も生じる。そのため、測定対象となるセルから異なる周波数や異なる無線アクセス方式の無線回線を持つセルや、使用無線リソースが多大であり選択される可能性の少ないセルを周辺セルから除外して、移動機１または移動機１ａに通知することが望ましい。【０１３４】
しがたって、この実施の形態３においては、実施の形態１また２のハンドオーバ制御サーバ３またはハンドオーバ制御サーバ３ａに、測定対象となるセルから異なる周波数や異なる無線アクセス方式の無線回線を持つセルや、使用無線リソースが多大であり選択される可能性の少ないセルを周辺セルから除外してセルリストを生成する機能を備えるようにする。【０１３５】
具体的には、たとえば、実施の形態２のハンドオーバ制御サーバ３ａの場合には、重み関数検証部３９に、さらに移動機１における無線回線測定結果の予想無線回線品質を設定しておき、当該入力値として得られた算出結果（周辺セル選択パラメータ）が予め定められた周辺セル選択閾値以下であるセルのセル識別子を通知する機能を追加する。【０１３６】
また、実施の形態１のハンドオーバ制御サーバ３の場合には、この実施の形態３の重み関数検証部３９の機能のみを備えた重み関数検証部３９を備えるようにすればよい。【０１３７】
セルリスト生成部３４は、セルリストを生成する際に、重み関数検証部３９から通知されたセル識別子を除外してセルリストを生成する。【０１３８】
移動機１ａは、ハンドオーバ制御サーバ３ａから通知されたセルリストの周辺セル３００に登録されているセル識別子が示すセルの無線回線品質を測定するので、異なる周波数や異なる無線アクセス方式の無線回線を持つセルや、使用無線リソースが多大であり選択される可能性の少ないセルの無線回線品質を測定することがなくなり、無線回線品質の測定の処理負荷が軽減される。【０１３９】
このようにこの実施の形態３においては、ハンドオーバ制御サーバ３ａの重み関数検証部３９が、予め設定されている予想無線回線品質を用いて重み関数算出部３５が算出した重み関数を用いて周辺セル選択パラメータを算出し、算出した周辺セル選択パラメータの値が、予め定められた周辺セル選択閾値以下である場合には、算出した周辺セル選択パラメータを有するセルを周辺セルから除外するようにしているため、移動機１ａが無線回線を測定するセルを少なくすることが可能となり、移動機１ａの無線回線品質の測定により処理負荷を軽減することができるとともに、ハンドオーバ先の候補となるセルを制限することができる。【０１４０】
なお、移動体ネットワーク管理者の管理指針により、特定のセルへのハンドオーバを抑止したい場合などに重み関数検証部３９において当該セルの周辺セル選択閾値を実際の予想無線回線品質よりも劣化させた値（実際の予測無線回線品質より低品質な値）に設定しておけば、特定のセルが選択されないようにすることもできる。【０１４１】
実施の形態４．
先の図１に示した実施の形態１の無線通信システムにおいて、移動機１が基地局２−５に制御されるセル、すなわち図２に示したセル構成のセル１１−５−１〜１１−５−６のいずれかに位置して基地局２−５を介して通信を行なっているとする。この場合、ハンドオーバ制御サーバ３は、先の実施の形態１で説明したように、周辺セルの情報としてセルリストおよび重み関数情報を移動機１に通知している。【０１４２】
移動機１がセル１１−５−１〜１１−５−６のいずれかに位置している場合、周辺セルとして基地局２−１，２−６，２−７が制御するセル１１−１−１〜１１−１−６，１１−６−１〜１１−６−６，セル１１−７−１〜１１−７−４が含まれている場合がある。【０１４３】
基地局２−５と基地局２−１とは、同一のエッジルータ４−２に収容されており、基地局２−６，２−７は、基地局２−５とは異なるエッジルータ４−３，４−１に収容されている。また、エッジルータ４−１，４−２はルータ５−１に収容されてＩＰネットワーク８と接続しており、エッジルータ４−３はルータ５−２に収容されてＩＰネットワーク８と接続している。【０１４４】
移動機１の周辺セル選択パラメータ算出／比較部１５および周辺セル選択決定部１６は、ハンドオーバ制御サーバ３がセルリストに基づいて周辺セルの無線回線品質を測定し、測定した無線回線品質を入力として重み関数の演算によって周辺セル選択パラメータを求めてハンドオーバ先のセルを決定する。【０１４５】
ここで、セルリストの周辺セル３００に基地局２−６，２−７が制御するセル１１−６−１〜１１−６−６，セル１１−７−１〜１１−７−４が含まれており、これらのセル１１−６−１〜１１−６−６，セル１１−７−１〜１１−７−４の何れか１つの周辺セルパラメータが最も通信品質の良い値となった場合には、セル１１−６−１〜１１−６−６，セル１１−７−１〜１１−７−４の何れか１つがハンドオーバ先のセルとして決定されハンドオーバ処理が実行される。この結果、基地局２−７が制御するセル１１−７−１〜１１−７−４のいずれかに対してハンドオーバ処理が実行された場合には、コアネットワーク７のルーチングはエッジルータ４−２、ルータ５−１、ＩＰネットワーク８から、エッジルータ４−１、ルータ５−１、ＩＰネットワーク８に変更され、基地局２−６が制御するセル１１−６−１〜１１−６−６のいずれかに対してハンドオーバ処理が実行された場合には、コアネットワーク７のルーチングはエッジルータ４−２、ルータ５−１、ＩＰネットワーク８から、エッジルータ４−３、ルータ５−２、ＩＰネットワーク８に変更される。【０１４６】
一般的に、コアネットワーク７のルーチングの変更装置が多いほどコアネットワーク７内の処理遅延が大きくなり、無線通信システムとしての移動機１のハンドオーバ時の無線回線切り替え品質が悪化する。【０１４７】
仮に、移動機１の無線回線品質測定部１４によって測定された基地局２−７が制御するセル１１−７−１〜１１−７−４の無線回線品質の測定結果と、基地局２−６が制御するセル１１−６−１〜１１−６−６との無線回線品質の差が若干であって、かつ何れのセル１−６−１〜１１−６−６，１１−７−１〜１１−７−４の測定結果も通信品質に対して十分である場合、移動機１の周辺セル選択決定部１６は、周辺セル選択パラメータが最も良い値のセルをハンドオーバ先のセルに決定する。すなわち、ルーディングの変更装置が多くなる基地局２−６が制御するセル１１−６−１〜１１−６−６を選択する場合がある。【０１４８】
このような問題を改善するためには、ハンドオーバ制御サーバ３が移動機１に通知する各セル単位の重み関数に各セルが接続された基地局２が収容されるコアネットワーク７内のルーチング情報を、切り替えが必要な装置数を入力とする項を含む関数とすることで解決することができる。すなわち、移動機１において重み関数を演算したときに得られる結果からコアネットワーク７のルーチング情報が反映された形態で、移動機１がハンドオーバ先のセルを決定するようにすればよい。【０１４９】
具体的には、ハンドオーバ制御サーバ３の重み関数算出部３５が、重み関数を算出する際に、ネットワーク構成記憶部３６に記憶されているネットワーク構成情報（図５参照）の基地局１００、収容エッジルータ１０３、および収容ルータ１０４に登録されている基地局識別子、エッジルータ識別子、およびルータ識別子からルーチング情報を生成し、現在通信中のセル１１を制御する基地局２を収容するエッジルータ４とルータ５とのルーチングと、周辺セルとなるセル１１を制御する基地局２を収容するエッジルータ４とルータ５とのルーチングとで、切り替えが必要な装置数を入力とした項を含む重み関数を算出する。すなわち、ハンドオーバ制御サーバ３の重み関数算出部３５は、ルーチングを考慮した重み関数を算出する。【０１５０】
移動機１の周辺セル選択パラメータ算出／比較部１５は、セルリスト（図７参照）の基地局３０２、収容エッジルータ３０４、および収容ルータ３０５に登録されている基地局識別子、エッジルータ識別子、およびルータ識別子からルーチング情報を生成し、現在通信中のセル１１を制御する基地局２を収容するエッジルータ４とルータ５とのルーチングと、周辺セルとなるセル１１を制御する基地局２を収容するエッジルータ４とルータ５とのルーチングとで、切り替えが必要な装置数を求め、求めた装置数を入力とした項を含む重み関数から周辺セル選択パラメータを算出する。【０１５１】
このようにこの実施の形態４においては、ハンドオーバ制御サーバ３の重み関数算出部３５が、ネットワーク構成記憶部３６に記憶されているネットワーク構成情報から、基地局２、エッジルータ４、およびルータ５のルーチング経路に関する情報を抽出し、抽出したルーチング経路に関する情報を入力パラメータとする項を含む重み関数を算出するようにしているため、ハンドオーバ先のセルを決定する際に、ルーチング経路が複雑化するセルの選択確率を抑圧することができる。【０１５２】
実施の形態５．
先の実施の形態４では、ルーチングを考慮した重み関数を算出することで、ルーチングの変更による処理遅延を抑制して移動機１のハンドオーバ時の無線回線切り替え品質を向上するようにした。この実施の形態５では、ルーチング情報とは異なる条件を重み関数の項に含めることで移動機１のハンドオーバ時の無線回線切り替え品質を向上するものである。【０１５３】
重み関数の項に含める条件として、通信品質情報や移動履歴、セルサイズ（セル半径や基地局最大送信電力など）、使用リソースなどがある。まず、通信品質情報を重み関数の項として含める場合について説明する。ここでは、移動機１の通信中の呼の持つ通信品質情報として、ピークビットレート、平均ビットレート、および最小ビットレートの３つのパラメータを用いる。この場合、ハンドオーバ制御サーバ３の重み関数算出部３５は、ピークビットレート、平均ビットレート、および最小ビットレートの３つのパラメータを入力とした項を重み関数に含めておく。【０１５４】
移動機１の無線回線品質測定部１４は、通信相手との通信時にピークビットレート、平均ビットレート、および最小ビットレートを測定し、測定した各ビットレートをハンドオーバ制御サーバ３に通知する。【０１５５】
ハンドオーバ制御サーバ３の周辺セル選択パラメータ算出／比較部１５は、無線回線品質測定部１４が測定したピークビットレート、平均ビットレート、および最小ビットレートを重み関数に代入して周辺セル選択パラメータを算出する。【０１５６】
つぎに、移動履歴を重み関数の項として含める場合について説明する。ハンドオーバ制御サーバ３の重み関数算出部３５は、移動機１の移動履歴をセル単位で記憶しておき、重み関数を算出する際に、記憶した移動機１の移動履歴を入力パラメータとする項を含む重み関数を算出する。【０１５７】
移動機１は、ハンドオーバ処理を行なって移動した移動履歴をセル単位で記憶しておき、周辺セル選択パラメータ算出／比較部１５は、記憶されている移動履歴を重み関数に代入して周辺セル選択パラメータを算出する。【０１５８】
つぎに、セルサイズを重み関数の項として含める場合について説明する。まず、セルサイズとしてセル半径や基地局最大送信電力などをセル構成記憶部３７に記憶されるセル構成情報に含めておく。具体的には、セル構成情報の基準セル２００に登録されるセル識別子に対応付けてセル半径を登録し、当該セル識別子に対応付けられて基地局２０１に登録されている基地局識別子に対応付けて基地局最大送信電力を登録しておく。【０１５９】
ハンドオーバ制御サーバ３の重み関数算出部３５は、セル半径および基地局最大送信電力を入力パラメータとする項を含む重み関数を算出する。一方、セルリスト生成部３４は、セル構成情報から周辺セルとして選択したセル１１のセル半径、および選択したセル１１を制御する基地局２の基地局最大送信電力の情報を含めてセルリストを生成する。【０１６０】
移動機１の周辺セル選択パラメータ算出／比較部１５は、セルリストから周辺セルのセル半径、および周辺セルを制御する基地局２の基地局最大送信電力を取得し、取得したセル半径および基地局最大送信電力を重み関数に代入して周辺セル選択パラメータを算出する。【０１６１】
なお、ハンドオーバ制御サーバ３の重み関数算出部３５が移動履歴とセルサイズを組み合わせた項を含む重み関数を算出するようにすれば、高速に移動している移動機１に対してはセルサイズの大きなセルをハンドオーバ先のセルとして決定しやすいようにすることも可能となる。【０１６２】
つぎに、使用リソースを重み関数の項として含める場合について説明する。ハンドオーバ制御サーバ３の重み関数算出部３５は、使用リソース記憶部３８に記憶されている使用リソース情報から、周辺セルを制御する基地局２の無線リソースや有線リソース、基地局２内部のバッファリングソースやＣＰＵ使用率などの使用リソースを考慮した項を含む重み関数を算出する。使用リソースはセル毎に測定されているため、セルリストの周辺セル３００に登録するセル識別子が決定すれば算出することができる値である。したがって、使用リソースに関する重み関数の項は、入力パラメータとしてセル識別子を入力するようにしても良いし、予め算出した値を係数または加算数とするようにしてもかまわない。【０１６３】
なお、移動履歴および使用リソースは、時間の経過とともに変化するパラメータであるため、予め移動機１に経過時間をパラメータとする忘却係数を組み入れるようにしておけば、瞬時的なトラフィック変動や移動速度の瞬時的な変化を吸収することも可能となる。【０１６４】
このようにこの実施の形態５においては、ハンドオーバ制御サーバ３の重み関数算出部３５が、移動機１から通知された通信品質情報であるピークビットレート、平均ビットレート、および最小ビットレートを入力パラメータとする項を含む重み関数を算出するようにしているため、現在の通信品質を考慮してハンドオーバ先のセルを選択することができる。【０１６５】
また、この実施の形態５においては、ハンドオーバ制御サーバ３の重み関数算出部３５が、移動機１が移動したセルの移動履歴を入力パラメータとする項を含む重み関数を算出するようにしているため、移動機１の移動速度を考慮してハンドオーバ先のセルを選択することができる。【０１６６】
さらに、この実施の形態５においては、ハンドオーバ制御サーバ３の重み関数算出部３５が、周辺セルの半径および／または当該周辺セルを制御する基地局２の基地局最大送信電力を入力パラメータとする項を含む重み関数を算出するようにしているため、通信品質劣化を伴うハンドオーバが発生するような周辺セルをハンドオーバ先のセルから除外することができる。【０１６７】
また、この実施の形態５においては、ハンドオーバ制御サーバ３の重み関数算出部３５が、ネットワーク構成情報に含まれる使用周波数を含む無線アクセス方式から使用周波数および／または無線アクセス方式を入力パラメータとする項を含む重み関数を算出するようにしているため、通信品質劣化を伴うハンドオーバが発生するような周辺セルをハンドオーバ先のセルから除外することができる。【０１６８】
さらに、ハンドオーバ制御サーバ３の重み関数算出部３５が、基地局２が測定した使用リソースから算出される項を含む重み関数を算出するようにしているため、無線リソースや有線リソース、および基地局２のバッファリングソースやＣＰＵ使用率などを考慮してハンドオーバ先のセルを決定することができる。
【産業上の利用可能性】
【０１６９】
以上のように、本発明にかかる無線通信システムは、無線回線品質に応じて使用する無線リソースが変化する無線通信システムに有用であり、特に、無線回線品質の測定程度に応じてハンドオーバを行なう無線通信システムに適している。
【図１】
0004700065.tif 000002
【図２】
0004700065.tif 000003
【図３】
0004700065.tif 000004
【図４】
0004700065.tif 000005
【図５】
0004700065.tif 000006
【図６】
0004700065.tif 000007
【図７】
0004700065.tif 000008
【図８】
0004700065.tif 000009
【図９】
0004700065.tif 000010
【図１０】
0004700065.tif 000011
【図１１】
0004700065.tif 000012
【図１２】
0004700065.tif 000013
【図１３】
0004700065.tif 000014
【図１４】
0004700065.tif 000015